(57)【要約】【課題】  複数の変動図柄が、それぞれ異なる軌跡上を移動する場合においても、必要メモリ量を大幅に削減でき、製造コストの削減化を図ることができる遊技機を提供する。【解決手段】  ＣＰＵ４６１は、Ｓ６において、一のスクランブルリーチ表示パターンがリーチ表示パターンとして選択された場合には、該スクランブルリーチ表示パターンに対する左側図柄と右側図柄の各軌道標識を各々所定の確率で選択して表示制御基板６６のＣＰＵ６６１に出力する。また、ＣＰＵ６６１は、Ｓ９、Ｓ１０において、各左側図柄及び各右側図柄の各軌道標識のそれぞれに対応する軌道データを個別に記憶しておき、入力された左側図柄の軌道標識に対応する軌道データを各左側のコーヒーカップ８１、９５の軌道データとし、入力された右側図柄の軌道標識に対応する軌道データを各右側のコーヒーカップ８２、９６の軌道データとして移動表示する。【選択図】  図１７
2005152324.tif 000002
【特許請求の範囲】
【請求項１】
遊技領域に設けられて複数の変動図柄を表示する特別図柄表示装置を備え、前記変動図柄が変動後、所定の態様で停止する一つ手前の変動状態から最終停止図柄が停止する状態までに表示されるリーチ表示パターンを表示し、該最終停止図柄が所定の態様を構成する特定図柄で停止した後、遊技者に有利な特別遊技状態が発生する遊技機において、
遊技機の動作状態を制御する主制御部と、
前記主制御部とは別体に設けられると共に、前記特別図柄表示装置を制御する表示制御部と、を備え、
前記リーチ表示パターンは、前記特定図柄を含む図柄群の図柄がそれぞれ互いに異なる所定の軌道に沿って移動後、該図柄群の図柄のうちの一の図柄が前記最終停止図柄として表示される複数種類のスクランブルリーチ表示パターンを含み、
前記主制御部は、
一のスクランブルリーチ表示パターンをリーチ表示パターンとして所定の第１確率で選択するリーチ表示パターン選択手段と、
前記リーチ表示パターン選択手段が選択した一のスクランブルリーチ表示パターンに対応する前記図柄群のうちの一の第１図柄に対して３種類以上の第１軌道標識を記憶すると共に、該図柄群のうちの他の第２図柄に対して複数の第２軌道標識を記憶する軌道記憶手段と、
前記リーチ表示パターン選択手段によって選択されたスクランブルリーチ表示パターンの第１図柄に対して一の第１軌道標識を所定の第２確率で選択し、該スクランブルリーチ表示パターンの第２図柄に対して一の第２軌道標識を所定の第３確率で選択する軌道標識選択手段と、
を有し、
前記表示制御部は、
前記各スクランブルリーチ表示パターンに対応して、前記図柄群の各図柄を表示するための図柄データを記憶する図柄データ記憶手段と、
前記各スクランブルリーチ表示パターンの第１図柄に対応する各第１軌道標識及び第２図柄に対応する各第２軌道標識のそれぞれに対応する軌道データを個別に記憶する軌道データ記憶手段と、
を有し、
該表示制御部は、主制御部からスクランブルリーチ表示パターンと第１軌道標識と第２軌道標識とが入力された場合には、この入力されたスクランブルリーチ表示パターンに対応する第１図柄及び第２図柄を表示すると共に、入力された第１軌道標識に対応する軌道データを該第１図柄の前記所定の軌道として移動表示し、入力された第２軌道標識に対応する軌道データを該第２図柄の前記所定の軌道として移動表示することを特徴とする遊技機。
【請求項２】
前記表示制御部は、前記第１図柄及び第２図柄を最初に表示後、該第１図柄及び第２図柄を隠して移動表示することを特徴とする請求項１に記載の遊技機。
【請求項３】
前記図柄群の図柄のうち最終停止図柄でない図柄は、前記特別図柄表示装置の表示領域外に移動停止することを特徴とする請求項１又は請求項２に記載の遊技機。
【請求項４】
前記軌道データは、前記特別図柄表示装置の表示領域外に出入りする軌道を含むことを特徴とする請求項１乃至請求項３のいずれかに記載の遊技機。
【発明の詳細な説明】
【技術分野】
【０００１】
本発明は、遊技領域に変動図柄を表示する特別図柄表示装置が設けられた遊技機に関するものである。
【背景技術】
【０００２】
従来より、遊技領域に特別図柄表示装置が設けられ、表示制御部を介して複数列の変動図柄等がこの特別図柄表示装置の画面に表示される遊技機に関し種々提案されている。
例えば、遊技盤に設けられ、かつ、それぞれが変動表示され、所定のタイミングで個別に停止表示され得る複数の変動図柄からなる識別情報画像を表示する識別情報画像領域と、演出画像を表示する演出画像領域とからなる画面画像が表示される表示部を有する遊技機であって、上記複数の変動図柄がそれぞれ変動表示される際、少なくとも２つの変動図柄の軌跡がクロスするように移動する遊技機が提案されている（例えば、特許文献１参照。）。
【特許文献１】特開２００２−２９２０１７号公報（段落（００７５）〜（０１１５）、図５〜図８）
【発明の開示】
【発明が解決しようとする課題】
【０００３】
上述した遊技機では、少なくとも２つの変動図柄の軌跡がクロスするように移動するという従来にない複雑な動きをするので、遊技者は、意外性に富んだ変動図柄の動きを追いかけようとして画面に注目することとなり、また、変動図柄の動きを中心とする画像上の演出表現に新鮮味を感じ、その演出表現を楽しむことができる。従って、このような演出表現により、遊技者を画像に引きつけることができ、遊技の行方についての期待感をより高めることができる。
しかしながら、従来の遊技機においては、２つの変動図柄の軌跡がクロスするように移動する各変動図柄の軌跡データは、予め一組のデータとしてＲＯＭ上に格納されているため、曲線等からなる２つの変動図柄の軌跡が、複数の箇所においてクロスすると共に、それぞれの変動図柄において、異なる複数の軌跡から一の軌跡を選択して移動する場合には、各軌跡データの全ての組合せの軌跡データをＲＯＭ上に格納する必要があり、必要メモリ量が飛躍的に増大し、製造コストアップを招くという問題がある。例えば、一方の変動図柄は、１０種類の軌跡から１種類の軌跡を選択し、他方の変動図柄は、３０種類の軌跡から１種類の軌跡を選択する場合には、３００組の軌跡データを予めＲＯＭ上に格納する必要があるため、飛躍的にＲＯＭの必要記憶容量が増大し、製造コストアップになるという問題がある。
【０００４】
そこで、本発明は、上述した問題点を解決するためになされたものであり、曲線等からなる２つの変動図柄の軌跡が、複数の箇所においてクロスしたり、それぞれの変動図柄に対して異なる複数の軌跡から一の軌跡を選択して移動する場合においても、必要メモリ量を大幅に削減でき、製造コストの削減化を図ることができる遊技機を提供する。
【課題を解決するための手段】
【０００５】
前記目的を達成するため請求項１に係る遊技機は、遊技領域に設けられて複数の変動図柄を表示する特別図柄表示装置を備え、前記変動図柄が変動後、所定の態様で停止する一つ手前の変動状態から最終停止図柄が停止する状態までに表示されるリーチ表示パターンを表示し、該最終停止図柄が所定の態様を構成する特定図柄で停止した後、遊技者に有利な特別遊技状態が発生する遊技機において、遊技機の動作状態を制御する主制御部と、前記主制御部とは別体に設けられると共に、前記特別図柄表示装置を制御する表示制御部と、を備え、前記リーチ表示パターンは、前記特定図柄を含む図柄群の図柄がそれぞれ互いに異なる所定の軌道に沿って移動後、該図柄群の図柄のうちの一の図柄が前記最終停止図柄として表示される複数種類のスクランブルリーチ表示パターンを含み、前記主制御部は、一のスクランブルリーチ表示パターンをリーチ表示パターンとして所定の第１確率で選択するリーチ表示パターン選択手段と、前記リーチ表示パターン選択手段が選択した一のスクランブルリーチ表示パターンに対応する前記図柄群のうちの一の第１図柄に対して３種類以上の第１軌道標識を記憶すると共に、該図柄群のうちの他の第２図柄に対して複数の第２軌道標識を記憶する軌道記憶手段と、前記リーチ表示パターン選択手段によって選択されたスクランブルリーチ表示パターンの第１図柄に対して一の第１軌道標識を所定の第２確率で選択し、該スクランブルリーチ表示パターンの第２図柄に対して一の第２軌道標識を所定の第３確率で選択する軌道標識選択手段と、を有し、前記表示制御部は、前記各スクランブルリーチ表示パターンに対応して、前記図柄群の各図柄を表示するための図柄データを記憶する図柄データ記憶手段と、前記各スクランブルリーチ表示パターンの第１図柄に対応する各第１軌道標識及び第２図柄に対応する各第２軌道標識のそれぞれに対応する軌道データを個別に記憶する軌道データ記憶手段と、を有し、該表示制御部は、主制御部からスクランブルリーチ表示パターンと第１軌道標識と第２軌道標識とが入力された場合には、この入力されたスクランブルリーチ表示パターンに対応する第１図柄及び第２図柄を表示すると共に、入力された第１軌道標識に対応する軌道データを該第１図柄の前記所定の軌道として移動表示し、入力された第２軌道標識に対応する軌道データを該第２図柄の前記所定の軌道として移動表示することを特徴とする。
【０００６】
このような特徴を有する請求項１に係る遊技機においては、遊技機の動作状態を制御する主制御部は、リーチ表示パターンとして、所定の態様を構成する特定図柄を含む図柄群の図柄がそれぞれ互いに異なる所定の軌道に沿って移動後、該図柄群のうちの一の図柄が最終停止図柄として表示される複数種類のスクランブルリーチ表示パターンから一のスクランブルリーチ表示パターンを所定の第１確率で選択する。そして、主制御部はこの選択したスクランブルリーチ表示パターンを構成する図柄群のうちの少なくとも一の第１図柄に対して３種類以上の第１軌道標識から一の第１軌道標識を所定の第２確率で選択する。また、主制御部はこの選択したスクランブルリーチ表示パターンを構成する図柄群のうちの他の第２図柄に対して複数の第２軌道標識から一の第２軌道標識を所定の第３確率で選択する。
一方、特別図柄表示装置を制御する表示制御部は、各スクランブルリーチ表示パターンに対応して、図柄群の第１図柄及び第２図柄を表示するための図柄データを予め記憶している。また、表示制御部は各第１軌道標識及び各第２軌道標識のそれぞれに対応する軌道データを個別に予め記憶している。そして、該表示制御部は、主制御部からスクランブルリーチ表示パターンと第１軌道標識と第２軌道標識とが入力された場合には、この入力されたスクランブルリーチ表示パターンに対応する図柄群の第１図柄及び第２図柄を表示すると共に、入力された第１軌道標識に対応する軌道データを該第１図柄の前記所定の軌道として移動表示し、入力された第２軌道標識に対応する軌道データを該第２図柄の前記所定の軌道として移動表示する。
【０００７】
また、請求項２に係る遊技機は、請求項１に記載の遊技機において、前記表示制御部は、前記第１図柄及び第２図柄を最初に表示後、該第１図柄及び第２図柄を隠して移動表示することを特徴とする。
【０００８】
また、請求項３に係る遊技機は、請求項１又は請求項２に記載の遊技機において、前記図柄群の図柄のうち最終停止図柄でない図柄は、前記特別図柄表示装置の表示領域外に移動停止することを特徴とする。
【０００９】
更に、請求項４に係る遊技機は、請求項１乃至請求項３のいずれかに記載の遊技機において、前記軌道データは、前記特別図柄表示装置の表示領域外に出入りする軌道を含むことを特徴とする。
【発明の効果】
【００１０】
請求項１に係る遊技機では、主制御部は、複数の第１軌道標識と複数の第２軌道標識とを記憶しておき、一のスクランブルリーチ表示パターンがリーチ表示パターンとして選択された場合には、該スクランブルリーチ表示パターンに対する一の第１軌道標識を所定の第２確率で選択し、該スクランブルリーチ表示パターンに対する一の第２軌道標識を所定の第３確率で選択して表示制御部に出力するため、複数種類のスクランブルリーチ表示パターンのそれぞれに対する第１軌道標識と第２軌道標識との全ての組合せを予めＲＯＭに記憶しておく必要が無く、主制御部のメモリ容量の削減化及び製造コストの削減化を図ることができる。
また、表示制御部は、各スクランブルリーチ表示パターンの各第１軌道標識及び各第２軌道標識のそれぞれに対応する軌道データを個別に記憶しておき、主制御部から第１軌道標識と第２軌道標識とが入力された場合には、入力された第１軌道標識に対応する軌道データを第１図柄の所定の軌道として移動表示し、入力された第２軌道標識に対応する軌道データを第２図柄の所定の軌道として移動表示するため、複数種類のスクランブルリーチ表示パターンのそれぞれに対する第１軌道標識に対応する軌道データと第２軌道標識に対応する軌道データとの全ての組合せを予めＲＯＭに記憶しておく必要が無く、表示制御部のメモリ容量の大幅な削減化及び製造コストの削減化を図ることができる。
また、各スクランブルリーチ表示パターンにおいて表示される図柄群の各図柄を、遊技者の予測できないランダムに選択される所定の軌動に沿って移動表示でき、特別図柄表示装置の演出表示効果を高めることができ、遊技者の興趣を増大させることができる。
【００１１】
また、請求項２に係る遊技機では、表示制御部は、スクランブルリーチ表示パターンを構成する第１図柄及び第２図柄を最初に表示後、該第１図柄及び第２図柄を隠して移動表示するため、第１図柄及び第２図柄の予測できない移動表示と相まって、遊技者は表示画面上の隠された第１図柄及び第２図柄を更に注視して追いかけなければならなくなり、遊技者を画像演出に更に引きつけることができ、遊技の行方についての期待感をより高めることができる。
【００１２】
また、請求項３に係る遊技機では、図柄群の図柄のうち最終停止図柄でない図柄は、特別図柄表示装置の表示領域外に移動停止するため、表示画面上には最後に１個の図柄のみが表示され、遊技者を画像演出に更に引きつけることができ、最終的に残る１個の図柄への期待感をより高めることができ、遊技の興趣をより増大させることができる。また、図柄群の図柄が隠された状態で予測できない軌道上を移動表示される場合には、最後に残った隠された図柄への遊技者の期待感を更に高めることができ、遊技の興趣をより増大させることができる。
【００１３】
また、請求項４に係る遊技機では、軌道データは、特別図柄表示装置の表示領域外に出入りする軌道を含むため、図柄群の各図柄が表示領域外から表示画面に入ってくる位置を予測できず、遊技者の興味を表示画面に更に強く引きつけることができる。また、各図柄が隠されて移動表示される場合には、表示領域外から表示画面に入ってきた各図柄を予測することが更に困難になるため、最後に残った隠された図柄への遊技者の期待感をより高めることができ、遊技への興趣をより増大させることができる。
【発明を実施するための最良の形態】
【００１４】
以下、本発明に係る遊技機をパチンコ機について具体化した一実施形態を図面を参照して詳細に説明する。
【実施例１】
【００１５】
先ず、本実施形態に係るパチンコ機の概略構成について図１乃至図３に基づき説明する。
図１乃至図３に示すように、本実施形態に係るパチンコ機１は、所定量のパチンコ球を賞球として払い出す、いわゆる第１種パチンコ機で、一般にＣＲ機（カードリーディング機）と称され、カード式球貸機とパチンコ機１とによって構成され、これらは対をなして設置されるが、図１及び図３においては、カード式球貸機の図示を省略している。パチンコ機１は、木製の外枠２１に対して合成樹脂製の前枠３が、前枠取付用ヒンジを構成する上ヒンジ３Ａ及び下ヒンジ３Ｂを介して外枠２１に対して開閉自在に取り付けられている。そして、この前枠３のほぼ上半分の前側には、合成樹脂製の前面カバー部材４が左端縁部の上下を軸支されて開閉自在に取付けられている。また、この前面カバー部材４のほぼ中央部には略円形の窓部５が開設され、この窓部５の外周縁部に形成されるガラス保持枠に装着された２枚のガラスを通して遊技盤２上の遊技領域１１を見ることができるように構成されている。また、前面カバー部材４の窓部５の上端縁部には、フルカラーの発光ダイオードが内蔵され、遊技中のエラーを表示するエラー表示電飾ランプ６Ａが取付けられている。また、このエラー表示電飾ランプ６Ａの左右外側には、「当たり」等の発生を報知したり遊技中に光演出をする各電飾ランプ６Ｂが取付けられている。また、前面カバー部材４の前面部分は、不透明な合成樹脂製の前面部材４Ａで覆われており、この各電飾ランプ６Ａ、６Ｂと窓部５の上端周縁部との間に、不図示のフルカラーダイオードが左右方向に内蔵され、遊技中に光演出が行われる。
【００１６】
また、前面カバー部材４の右側中央部には、前枠３及び前面カバー部材４を施錠する施錠装置（不図示）を操作するための鍵挿入部４Ｂが設けられている。前面カバー部材４を開くためには、この鍵挿入部４Ｂに所定のキーを挿入して所定方向に回せば、施錠装置のロック状態が解除されて、前面カバー部材７のみがオープンされる。
【００１７】
また、この前面カバー部材４の下側には、公知の賞球払出装置（特開平１１−３０９２６５号公報等参照）を介して払い出される賞球を受ける上皿７がスピーカ７Ａを内蔵して合成樹脂製プレート８に配設されている。また、このプレート８は、左端縁部の上下を軸支されて、前面カバー部材４を開放後、内側に設けられた不図示のレバーを下げることにより開放できるように取付けられている。また、この上皿７の中央前面部には、カード式球貸機の操作ボタン７Ｂ、７Ｃ及びカード残高表示装置７Ｄが設けられている。そして、その上皿７の下には、下皿９が配設される。また、上皿７に連通する不図示の球送り機構を介して上皿７のパチンコ球が操作ハンドル１０に連結された発射装置１０Ａへ送られるよう構成されている。
【００１８】
次に、図２において、パチンコ機１における遊技盤２上の遊技領域の構成について説明する。この遊技領域１１は、所定厚さの板材をなした遊技盤２上に入賞口などの各構造物が配設され、それを囲むように環状のレール１２が立設されて構成されている。このレール１２は、発射されたパチンコ球を遊技領域１１内に案内する重複して形成した案内路１３を構成し、右肩部にはレール１２に沿って打ち込まれるパチンコ球の進行を制限するための段差部１４を有する。
【００１９】
遊技領域１１のほぼ中央には、開口部が開設され、この開口部の前面側に特別図柄表示装置１８が配設されている。この特別図柄表示装置１８は、遊技盤２の前面側から取り付けられる装飾部材１７と、遊技盤２の裏面側から取り付けられる液晶表示器（ＬＣＤ）１９等から構成されている。この液晶表示器１９は、左、中、右に３つの変動図柄を表示する液晶パネルであって、左下角部には、左右に２分割された普通図柄を表示する普通図柄表示部２０が構成されている。そして、装飾部材１７の前面部上方には、鰐のキャラクタが前面に形成される上部装飾部材１７Ａが、装飾部材１７を構成する枠本体部材１７Ｂの前面部に取り付けられている。また、この枠本体部材１７Ｂの内側底面部には、案内部材３３が取り付けられている。
【００２０】
一方、特別図柄表示装置１８の左右には各ゲート２３、２４が配設されている。また、各ゲート２３、２４と特別図柄表示装置１８の間には通常の風車２５、２６が設けられ、特別図柄表示装置１８の両肩側には各電飾ランプ２７Ａ、２８Ａが内蔵される風車２７、２８が設けられている。また、各ゲート２３、２４の外側には、各電飾ランプ２９Ａ、３０Ａが内蔵される肩電飾部材２９、３０が配置されている。
【００２１】
また、特別図柄表示装置１８の直下には、前面に蛇のキャラクタが描かれた始動口３１が配設されている。この始動口３１には、パチンコ球の入賞を検出する始動口スイッチ（不図示）が設けられ、パチンコ球の入賞を検出することで液晶表示器１９に表示されている特別図柄が変動する。そして、特別図柄が変動中に始動口３１に入賞した場合には、入賞個数が４個まで後述の主基板４６（図３参照）に設けられるＲＡＭの第１保留カウンタ（後述する）に記憶されて変動確定回数として保留される。そして、この第１保留カウンタに記憶されているカウント値を表示する第１保留ＬＥＤ３４が、液晶表示器１９の左右両側に各々２個ずつ配置されている。
【００２２】
また、各ゲート２３、２４にはパチンコ球の通過を検出するゲートスイッチ（不図示）が備えられており、パチンコ球の通過を検出することで普通図柄表示部２０の普通図柄が変動する。そして、このゲート２３又はゲート２４にパチンコ球が入って、普通図柄表示部２０の普通図柄が変動後、所定の表示態様で停止した場合（例えば、「１１」、「７７」のように揃った場合等）には、始動口３１の上部に設けられるチューリップ式役物３１Ａが所定時間（第１実施形態では、約１秒間）開かれ、この始動口３１にパチンコ球が入賞する確率が増加する。
【００２３】
また、普通図柄が変動中に各ゲート２３、２４をパチンコ球が通過した場合には、通過個数が４個まで主基板４６（図３参照）に設けられるＲＡＭの第２保留カウンタ（後述する）に記憶されて変動確定回数として保留される。そして、この第２保留カウンタに記憶されているカウント値を表示する第２保留ＬＥＤ３５が、上部装飾部材１７Ａの上端縁部に左右水平方向に４個配置されている。
【００２４】
そして、始動口３１の下側には、横幅が広い上方に開口する開閉扉３９で前面部を覆われる大入賞口４０が形成された特別入賞装置４１が配設されている。また、この大入賞口４０の左右両側には上方に開口する各入賞口４２、４３が前面側に突出して形成されている。また、各入賞口４２、４３の下側には、各電飾ランプ４２Ａ、４３Ａが内蔵されている。
【００２５】
また、この特別入賞装置４１の両側上方には各電飾ランプ４４Ａ、４５Ａが内蔵された下入賞口４４、４５が配設されて遊技盤２裏面の不図示の賞球樋に連通され、この下入賞口４４、４５への入賞を検出する下入賞口スイッチ（不図示）が設けられている。また、特別入賞装置４１の直下にはレール１２に沿ってアウト口４４が開設されている。更に、レール１２に囲まれたこのような遊技領域１１には、前記各構成物とともに複数の釘が打設されてパチンコ球の複雑な流路を構成している。
【００２６】
また、図３に示すように、パチンコ機１の裏側最上段には、上方に開口した賞球タンク５０が機構セット盤５１に固定されている。賞球タンク５０は、傾斜した底面に連通孔が形成され、その連通孔の下方にはパチンコ球を２列に整列流出し、賞球ケース５２にパチンコ球を送る通路を形成するタンクレール５３が取付けられている。
また、タンクレール５３の下側には液晶表示器（ＬＣＤ）１９等をカバーする樹脂製のセンターカバー５４が取付けられている。そして、このセンターカバー５４の背面部内側には、スピーカ７Ａを駆動制御する音制御基板６４、各電飾ランプ６Ａ、６Ｂ等を駆動制御するランプ制御基板６５、及びＬＣＤ１９等を駆動制御する表示制御基板６６が取り付けられている。また、センターカバー５４の下側には、パチンコ機１の遊技動作を制御する主基板４６が内蔵される基板ケース５５が配設されている。また、基板ケース５５の下方には、上皿７から溢れた賞球を受けて下皿９に案内する下部受皿ボックス５６がボルトにより前枠３の裏側に取り付けられている。
【００２７】
次に、上記のように構成されたパチンコ機１の駆動制御に係る制御システムの構成について図４乃至図７に基づいて説明する。
【００２８】
図４に示すように、パチンコ機１の駆動制御に係る制御システムは、主基板４６、音制御基板６４、ランプ制御基板６５、及び表示制御基板６６等から構成されている。
【００２９】
主基板４６は、ＣＰＵ４６１、ＲＯＭ４６２、ＲＡＭ４６３、及び入出力回路（Ｉ／Ｏ）４６４等から構成され、このＣＰＵ４６１、ＲＯＭ４６２、ＲＡＭ４６３、及び入出力回路（Ｉ／Ｏ）４６４は、バス線により相互に接続されている。また、ＣＰＵ４６１にはクロック回路４６０が接続されて所定のクロック信号が入力される。また、入出力回路４６４には、図示しない始動口スイッチ、各下入賞口スイッチ、各入賞口スイッチ、大入賞口スイッチ、Ｖスイッチ等が接続されている。
【００３０】
また、図５に示すように、ＲＡＭ４６３には、クロック回路４６０から入力されるクロック信号に基づいて０から３５９まで繰り返し１ずつ加算した数値（最大値３５９の次には最小値０に戻る）が格納される大当たりカウンタ４６３Ａが設けられている。この大当たりカウンタ４６３Ａのカウント値は、始動口スイッチからスイッチ信号が出力されるタイミングで読み取られ、その読み取られたカウント値に基づき大当たりかどうか判断される。ここでは、例えば、通常時は、カウント値「７」が大当たりに対応し、いわゆる確率変動モードの場合には、カウント値「３、５、７、１１」が大当たりに対応しており、その他のカウント値は外れとなる。
また、クロック回路４６０から入力されるクロック信号に基づいて０から９まで繰り返し１ずつ加算した数値（最大値９の次には最小値０に戻る）が格納される普通図柄カウンタ４６３Ｂが設けられている。かかる普通図柄カウンタ４６３Ｂのカウント値は、各ゲートスイッチからスイッチ信号が出力されるタイミングで読み取られ、その読み取られたカウント値に基づいて当たりかどうか判断される。ここでは、例えば、カウント値が偶数の場合が当たりに対応し、奇数の場合が外れに対応している。
また、特別図柄表示装置１８の変動図柄が変動中に始動口３１に入賞した入賞個数が最大４個までカウントされる第１保留カウンタ４６３Ｃが設けられている。また、普通図柄表示部２０の普通図柄が変動中にゲート２３又はゲート２４を通過した通過個数が最大４個までカウントされる第２保留カウンタ４６３Ｄが設けられている。
【００３１】
また、ＲＡＭ４６３には、クロック回路４６０から出力されるクロック信号に基づいて０から１９９まで繰り返し１ずつ加算した数値（最大値１９９の次には最小値０に戻る）が格納される変動パターン選択カウンタ４６３Ｅが設けられている。かかる変動パターン選択カウンタ４６３Ｅのカウント値は、パチンコ球が始動口３１に入賞しない限りリーチ状態が発生しないことから、始動口スイッチからスイッチ信号が出力されるタイミングで読み取られ、その読み取られたカウント値に基づきリーチ状態かどうか判断される。ここでは、例えば、カウント値「０〜２７」がリーチ後に外れとなるリーチハズレの場合に対応し、カウント値「２８〜１９９」がリーチに至ることなく直ちに外れとなる完全ハズレの場合に対応している。
【００３２】
また、ＲＡＭ４６３には、クロック回路４６０から出力されるクロック信号に基づいて０から１９まで繰り返し１ずつ加算した数値（最大値１９の次には最小値０に戻る）が格納されるリーチカウンタ４６３Ｆが設けられている。かかるリーチカウンタ４６３Ｆのカウント値は、パチンコ球が始動口３１に入賞しない限りリーチ状態が発生しないことから、始動口スイッチからスイッチ信号が出力されるタイミングで読み取られ、その読み取られたカウント値に基づき後述のようにリーチ表示パターンの種類が選択される（図８、図９参照）。
【００３３】
また、ＲＡＭ４６３には、クロック回路４６０から出力されるクロック信号に基づいて０から８まで繰り返し１ずつ加算した数値（最大値８の次には最小値０に戻る）が格納される大当たり図柄選択カウンタ４６３Ｇが設けられている。かかる大当たり図柄選択カウンタ４６３Ｇのカウント値は、始動口スイッチからスイッチ信号が出力されるタイミングで読み取られ、その読み取られたカウント値に基づき特別図柄表示装置１８に表示される大当たり図柄が選択される。ここでは、例えば、カウント値「０」が大当たり図柄「１１１」、カウント値「１」が大当たり図柄「２２２」、カウント値「２」が大当たり図柄「３３３」、カウント値「３」が大当たり図柄「４４４」、カウント値「４」が大当たり図柄「５５５」、カウント値「５」が大当たり図柄「６６６」、カウント値「６」が大当たり図柄「７７７」、カウント値「７」が大当たり図柄「８８８」、カウント値「８」が大当たり図柄「９９９」に対応している。尚、各大当たり図柄は、公知のように、大当たり時に各種の表示演出に基づき一連の図柄変動を経た後に停止表示される図柄である。また、「１」、「２」、「３」、「４」、「５」、「６」、「７」、「８」、「９」は、特定図柄を構成する。
【００３４】
また、ＲＡＭ４６３には、クロック回路４６０から出力されるクロック信号に基づいて０から３まで繰り返し１ずつ加算した数値（最大値３の次には最小値０に戻る）が格納される普通図柄選択カウンタ４６３Ｈが設けられている。ここでは、例えば、カウント値「０」が普通図柄「１１」、カウント値「１」が普通図柄「１７」、カウント値「２」が普通図柄「７１」、カウント値「３」が普通図柄「７７」に対応している。尚、各普通図柄は、公知のように、一連の図柄変動を経た後に停止表示される図柄である。
【００３５】
また、ＲＡＭ４６３には、クロック回路４６０から出力されるクロック信号に基づいて０から２００まで繰り返し１ずつ加算した数値（最大値２００の次には最小値０に戻る）が格納されるハズレ図柄選択カウンタ４６３Ｉが設けられている。
更に、ＲＡＭ４６３には、クロック回路から出力されるクロック信号に基づいて０から１４３まで繰り返し１ずつ加算した数値（最大値１４３の次には最小値０に戻る）が格納されるリーチ図柄選択カウンタ４６３Ｊが設けられている。
【００３６】
また、始動口３１に入賞したときの大当たりカウンタ４６３Ａ、変動パターン選択カウンタ４６３Ｅ、リーチカウンタ４６３Ｆ、大当たり図柄選択カウンタ４６３Ｇ、ハズレ図柄選択カウンタ４６３Ｉ、リーチ図柄選択カウンタ４６３Ｊの各のカウント値や、各ゲート２３、２４をパチンコ球が通過したときの普通図柄カウンタ４６３Ｂのカウント値や、各カウンタ４６３Ｈ等のカウント値が記憶されるパラメータ記憶エリア４６３Ｋが設けられている。
尚、各カウンタ４６３Ａ、４６３Ｂ、４６３Ｃ、４６３Ｄ、４６３Ｅ、４６３Ｆ、４６３Ｇ、４６３Ｈ、４６３Ｉ及び４６３Ｊの各カウント値は、起動時に「０」にセットされる。また、第１保留カウンタ４６３Ｃは、変動図柄が変動を開始する毎に１減算される。また、第２保留カウンタ４６３Ｄは、普通図柄が変動を開始する毎に１減算される。
【００３７】
そしてまた、図６に示すように、ＲＯＭ４６２には、後述の外れリーチパターンテーブル７１（図８参照）が格納される外れリーチパターンテーブル記憶エリア４６２Ａが設けられている。また、ＲＯＭ４６２には、後述の大当たりリーチパターンテーブル７２（図９参照）が格納される大当たりリーチパターンテーブル記憶エリア４６２Ｂが設けられている。また、ＲＯＭ４６２には、後述の各外れ軌道標識テーブル７５〜７８（図１０、図１１参照）が格納される外れ軌道標識テーブル記憶エリア４６２Ｃが設けられている。また、ＲＯＭ４６２には、後述の大当たり軌道標識テーブル７９（図１２参照）が格納される大当たり軌道標識テーブル記憶エリア４６２Ｄが設けられている。
【００３８】
また、図４に示すように、音制御基板６４には、ＣＰＵ６４１、スピーカ７Ａ等の駆動制御プログラム等を格納するＲＯＭ６４２、主基板４６からの各種制御信号を格納するＲＡＭ６４３、及び主基板４６から送出される各種制御信号を受信する入出力回路（Ｉ／Ｏ）６４４等が配設されている。そして、このＣＰＵ６４１、ＲＯＭ６４２、ＲＡＭ６４３、及び入出力回路（Ｉ／Ｏ）６４４は、バス線により相互に接続されている。また、ＣＰＵ６４１にはクロック回路６４０が接続されて所定のクロック信号が入力される。また、入出力回路（Ｉ／Ｏ）６４４には、主基板４６の入出力回路（Ｉ／Ｏ）４６４が接続されている。また、この入出力回路（Ｉ／Ｏ）６４４には、スピーカ７Ａ等が接続されている。そして、ＣＰＵ６４１は、主基板４６から入力される各種制御信号に基づいて、スピーカ７Ａの駆動制御を行う。
【００３９】
また、図４に示すように、ランプ制御基板６５には、ＣＰＵ６５１、各電飾ランプ６Ａ、６Ｂ、２７Ａ、２８Ａ、２９Ａ、３０Ａ、４２Ａ、４３Ａ、４４Ａ、４５Ａ等の駆動制御プログラム等を格納するＲＯＭ６５２、主基板４６からの各種制御信号を格納するＲＡＭ６５３、及び主基板４６から送出される各種制御信号を受信する入出力回路（Ｉ／Ｏ）６５４等が配設されている。そして、このＣＰＵ６５１、ＲＯＭ６５２、ＲＡＭ６５３、及び入出力回路（Ｉ／Ｏ）６５４は、バス線により相互に接続されている。また、ＣＰＵ６５１にはクロック回路６５０が接続されて所定のクロック信号が入力される。また、入出力回路（Ｉ／Ｏ）６５４には、主基板４６の入出力回路（Ｉ／Ｏ）４６４が接続されている。また、この入出力回路（Ｉ／Ｏ）６５４には、各電飾ランプ６Ａ、６Ｂ、２７Ａ、２８Ａ、２９Ａ、３０Ａ、４２Ａ、４３Ａ、４４Ａ、４５Ａ等が接続されている。そして、ＣＰＵ６５１は、主基板４６から入力される各種制御信号に基づいて、各電飾ランプ６Ａ、６Ｂ、２７Ａ、２８Ａ、２９Ａ、３０Ａ、４２Ａ、４３Ａ、４４Ａ、４５Ａ等の駆動制御を行う。
【００４０】
また、図４に示すように、表示制御基板６６には、ＣＰＵ６６１、表示制御プログラムや所要の表示データを格納するＲＯＭ６６２、表示指令、表示情報、入出力信号等を格納するＲＡＭ６６３、主基板４６から送出される各種制御信号を受信する入出力回路（Ｉ／Ｏ）６６４、及びＣＰＵ６６１から送られた表示情報を受けて液晶表示器（ＬＣＤ）１９に対して画像を加工して表示するＶＤＰ（Video Display Processor）６６５等が配設されている。そして、このＣＰＵ６６１、ＲＯＭ６６２、ＲＡＭ６６３、入出力回路（Ｉ／Ｏ）６６４、及びＶＤＰ（Video Display Processor）６６５は、バス線により相互に接続されている。また、ＣＰＵ６６１にはクロック回路６６０が接続されて所定のクロック信号が入力される。そして、ＣＰＵ６６１は、主基板４６から入力される表示パターン情報等の各種制御信号に基づいて、液晶表示器１９に所定の演出表示を行う（図１７、図１８参照）。
【００４１】
また、図７に示すように、ＲＯＭ６６２には、後述のように、スクランブルリーチＡまたはスクランブルリーチＢのリーチ表示パターンの際に液晶表示器１９に表示する各図柄（本実施形態では、コーヒーカップの図柄や煙図柄など）の図柄データが格納されるスクランブル図柄データ記憶エリア６６２Ａが設けられている。また、ＲＯＭ６６２には、スクランブルリーチＡまたはスクランブルリーチＢのリーチ表示パターンの際に液晶表示器１９に表示する各図柄の各軌道データ（図１３〜図１６参照）を各軌道標識に対応させて格納するスクランブル軌道データ記憶エリア６６２Ｂが設けられている。
【００４２】
そして、主基板４６のＣＰＵ４６１は、ＲＯＭ４６２に予め格納されているパラメータや制御プログラムに従って、入出力回路４６４を介して入力される入力信号等に基づいて、各種制御信号を該入出力回路４６４を介して音制御基板６４、ランプ制御基板６５、及び表示制御基板６６等に対して出力する。
【００４３】
次に、主基板４６のＲＯＭ４６２の外れリーチパターンテーブル記憶エリア４６２Ａに記憶される外れリーチパターンテーブル７１について図８に基づいて説明する。
図８に示すように、リーチハズレの際に表示する外れリーチ表示パターンを選択する際に使用する外れリーチパターンテーブル７１は、リーチカウンタ４６３Ｆのカウント値を表す「リーチカウント値」と、この「リーチカウント値」に対応する「外れ時リーチ表示パターン」とから構成されている。
また、外れリーチパターンテーブル７１の「リーチカウント値」には、「０〜９」、「１０〜１３」、「１４〜１６」、「１７〜１９」の４種類のリーチカウント値が予め登録されている。
また、外れリーチパターンテーブル７１の「外れ時リーチ表示パターン」には、「リーチカウント値」の「０〜９」に対応して「ノーマルリーチ」、「１０〜１３」に対応して「ロングリーチ」、「１４〜１６」に対応して「スクランブルリーチＡ」、「１７〜１９」に対応して「スクランブルリーチＢ」が格納されている。これらの「ノーマルリーチ」、ロングリーチ」、「スクランブルリーチＡ」、「スクランブルリーチＢ」は、ハズレリーチ、即ち、中図柄が左右の図柄と異なる特定図柄で停止するリーチ表示パターンである。
【００４４】
次に、主基板４６のＲＯＭ４６２の大当たりリーチパターンテーブル記憶エリア４６２Ｂに記憶される大当たりリーチパターンテーブル７２について図９に基づいて説明する。
図９に示すように、大当たりの際に表示する大当たりリーチ表示パターンを選択する際に使用する大当たりリーチパターンテーブル７２は、リーチカウンタ４６３Ｆのカウント値を表す「リーチカウント値」と、この「リーチカウント値」に対応する「大当たり時リーチ表示パターン」とから構成されている。
また、大当たりリーチパターンテーブル７２の「リーチカウント値」には、「０、１」、「２〜４」、「５〜１０」、「１１〜１９」の４種類のリーチカウント値が予め登録されている。
また、大当たりリーチパターンテーブル７２の「大当たり時リーチ表示パターン」には、「リーチカウント値」の「０、１」に対応して「ノーマルリーチ」、「２〜４」に対応して「ロングリーチ」、「５〜１０」に対応して「スクランブルリーチＡ」、「１１〜１９」に対応して「スクランブルリーチＢ」が格納されている。これらの「ノーマルリーチ」、ロングリーチ」、「スクランブルリーチＡ」、「スクランブルリーチＢ」は、大当たりリーチ、即ち、中図柄が左右の図柄と同じ特定図柄で停止するリーチ表示パターンである。
【００４５】
尚、外れリーチパターンテーブル７１及び大当たりリーチパターンテーブル７２の「ノーマルリーチ」は、左図柄と右図柄とが揃って仮停止して、中図柄のみが約５秒間変動表示されるリーチ表示パターンである。また、該各テーブル７１、７２の「ロングリーチ」は、左図柄と右図柄とが揃って仮停止して、中図柄のみが約１０秒間変動表示されるリーチ表示パターンである。また、該各テーブル７１、７２の「スクランブルリーチＡ」は、後述のように、左図柄と右図柄とが揃って仮停止した後、該左図柄と右図柄とが左上角部に移動し、画面中央部左右に２個のコーヒーカップが表示され、左側のコーヒーカップに大当たりを構成する特定図柄（本実施形態では、第２図柄として機能する。）が入り、右側のコーヒーカップに特定図柄より「１」多い特定図柄、即ち、次の順番の特定図柄（本実施形態では、第１図柄として機能する。）が入って、各コーヒーカップが所定の軌道に沿って約１０秒間移動表示されるリーチ表示パターンである。更に、該各テーブル７１、７２の「スクランブルリーチＢ」は、後述のように、左図柄と右図柄とが揃って仮停止した後、該左図柄と右図柄とが左上角部に移動し、画面中央部左右に２個のコーヒーカップが表示され、右側のコーヒーカップに大当たりを構成する特定図柄（本実施形態では、第２図柄として機能する。）が入り、左側のコーヒーカップに特定図柄より「１」少ない特定図柄、即ち、一つ手前の順番の特定図柄（本実施形態では、第１図柄として機能する。）が入って、各コーヒーカップが所定の軌道に沿って約１０秒間移動表示されるリーチ表示パターンである。
【００４６】
次に、主基板４６のＲＯＭ４６２の外れ軌道標識テーブル記憶エリア４６２Ｃに記憶される各外れ軌道標識テーブル７５〜７７について図１０及び図１１に基づいて説明する。
図１０（Ａ）に示すように、スクランブルリーチＡの外れ時のリーチ表示パターンの場合に、後述のように左側図柄の軌道標識（本実施形態では、第２軌道標識として機能する。）を決定する際に選択される外れ軌道標識テーブル７５は、大当たりカウンタ４６３Ａのカウント値を表す「大当たりカウント値」と、この「大当たりカウント値」に対応する「左側図柄の軌道標識」とから構成されている。
また、外れ軌道標識テーブル７５の「大当たりカウント値」には、「０〜１７９」、「１８０〜３５９」の２種類の大当たりカウント値が予め登録されている。
また、外れ軌道標識テーブル７５の「左側図柄の軌道標識」には、「大当たりカウント値」の「０〜１７９」に対応して「ＡＡ−１」、「１８０〜３５９」に対応して「ＡＡ−２」が予め登録されている。
【００４７】
また、図１０（Ｂ）に示すように、スクランブルリーチＡの外れ時のリーチ表示パターンの場合に、後述のように右側図柄の軌道標識（本実施形態では、第１軌道標識として機能する。）を決定する際に選択される外れ軌道標識テーブル７６は、大当たりカウンタ４６３Ａのカウント値を表す「大当たりカウント値」と、この「大当たりカウント値」に対応する「右側図柄の軌道標識」とから構成されている。
また、外れ軌道標識テーブル７６の「大当たりカウント値」には、「０〜９９」、「１００〜２４９」、「２５０〜３５９」の３種類の大当たりカウント値が予め登録されている。
また、外れ軌道標識テーブル７６の「右側図柄の軌道標識」には、「大当たりカウント値」の「０〜９９」に対応して「ＡＢ−１」、「１００〜２４９」に対応して「ＡＢ−２」、「２５０〜３５９」に対応して「ＡＢ−３」が予め登録されている。
【００４８】
また、図１１（Ａ）に示すように、スクランブルリーチＢの外れ時のリーチ表示パターンの場合に、後述のように右側図柄の軌道標識（本実施形態では、第２軌道標識として機能する。）を決定する際に選択される外れ軌道標識テーブル７７は、大当たりカウンタ４６３Ａのカウント値を表す「大当たりカウント値」と、この「大当たりカウント値」に対応する「右側図柄の軌道標識」とから構成されている。
また、外れ軌道標識テーブル７７の「大当たりカウント値」には、「０〜１７９」、「１８０〜３５９」の２種類の大当たりカウント値が予め登録されている。
また、外れ軌道標識テーブル７７の「右側図柄の軌道標識」には、「大当たりカウント値」の「０〜１７９」に対応して「ＢＡ−１」、「１８０〜３５９」に対応して「ＢＡ−２」が予め登録されている。
【００４９】
また、図１１（Ｂ）に示すように、スクランブルリーチＢの外れ時のリーチ表示パターンの場合に、後述のように左側図柄の軌道標識（本実施形態では、第１軌道標識として機能する。）を決定する際に選択される外れ軌道標識テーブル７８は、大当たりカウンタ４６３Ａのカウント値を表す「大当たりカウント値」と、この「大当たりカウント値」に対応する「左側図柄の軌道標識」とから構成されている。
また、外れ軌道標識テーブル７８の「大当たりカウント値」には、「０〜９９」、「１００〜２４９」、「２５０〜３５９」の３種類の大当たりカウント値が予め登録されている。
また、外れ軌道標識テーブル７８の「左側図柄の軌道標識」には、「大当たりカウント値」の「０〜９９」に対応して「ＢＢ−１」、「１００〜２４９」に対応して「ＢＢ−２」、「２５０〜３５９」に対応して「ＢＢ−３」が予め登録されている。
【００５０】
次に、主基板４６のＲＯＭ４６２の大当たり軌道標識テーブル記憶エリア４６２Ｄに記憶される大当たり軌道標識テーブル７９について図１２に基づいて説明する。
図１２に示すように、スクランブルリーチＡ又はスクランブルリーチＢの大当り時リーチ表示パターンの場合に、後述のように左側図柄と右側図柄との軌道標識を決定する際に選択される大当たり軌道標識テーブル７９は、リーチカウンタ４６３Ｆのカウント値を表す「リーチカウント値」と、この「リーチカウント値」に対応する「左側図柄の軌道標識」と、この「リーチカウント値」に対応する「右側図柄の軌道標識」とから構成されている。
また、大当たり軌道標識テーブル７９の「リーチカウント値」には、「５〜１０」、「１１〜１９」の２種類のリーチカウント値が予め登録されている。尚、図９に示すように、この「リーチカウント値」が「５〜１０」の場合には、「大当り時リーチ表示パターン」として「スクランブルリーチＡ」が選択されている。また、この「リーチカウント値」が「１１〜１９」の場合には、「大当り時リーチ表示パターン」として「スクランブルリーチＢ」が選択されている。
また、大当たり軌道標識テーブル７９の「左側図柄の軌道標識」には、「リーチカウント値」の「５〜１０」に対応して「ＡＡ−０」、「１１〜１９」に対応して「ＢＢ−０」が予め登録されている。
また、大当たり軌道標識テーブル７９の「右側図柄の軌道標識」には、「リーチカウント値」の「５〜１０」に対応して「ＡＢ−０」、「１１〜１９」に対応して「ＢＡ−０」が予め登録されている。
【００５１】
次に、表示制御基板６６のＲＯＭ６６２のスクランブル軌道データ記憶エリア６６２Ｂに格納される上記各軌道標識ＡＡ−０〜ＡＡ−２、ＡＢ−０〜ＡＢ−３、ＢＡ−０〜ＢＡ−２、ＢＢ−０〜ＢＢ−３に対応する各軌道データの一例を図１３乃至図１６に基づいて説明する。
先ず、スクランブルリーチＡのリーチ表示パターンの表示の際に選択される各軌道標識ＡＡ−０〜ＡＡ−２に対応する各軌道データの一例を図１３に基づいて説明する。
図１３（Ａ）に示すように、スクランブルリーチＡのリーチ表示パターンの表示の際に選択される各軌道標識ＡＡ−０〜ＡＡ−２に対応する各軌道データの原点位置は、最初に液晶表示器１９の中央部に表示される２個の各コーヒーカップ８１、８２のうちの左側のコーヒーカップ８１の位置である。また、このコーヒーカップ８１内には、液晶表示器１９の左上角部に表示されているリーチパターンの左図柄と右図柄と同じ特定図柄「Ａ」が隠されている。
そして、図１３（Ｂ）に示すように、スクランブルリーチＡの左側図柄としてのコーヒーカップ８１の軌道標識「ＡＡ−０」に対応して、該コーヒーカップ８１が液晶表示器１９の上辺部から表示領域外に出た後、再度、右辺部から表示領域内に進入し、更に下辺部から表示領域外に出て、再度下辺部から表示領域内に進入して表示領域の中央部で仮停止する第１軌道データ８５がスクランブル軌道データ記憶エリア６６２Ｂに予め登録されている。即ち、この第１軌道データ８５は、液晶表示器１９の左上角部に表示されているリーチパターンの左図柄と右図柄と同じ特定図柄「Ａ」が隠されたコーヒーカップ８１が最終的に表示領域の中央部で仮停止し、「大当たり」が発生する軌道データである。
【００５２】
また、図１３（Ｃ）に示すように、スクランブルリーチＡの左側図柄としてのコーヒーカップ８１の軌道標識「ＡＡ−１」に対応して、該コーヒーカップ８１が液晶表示器１９の上辺部から表示領域外に出た後、再度、右辺部から表示領域内に進入し、更に下辺部から表示領域外に出て、再度下辺部から表示領域内に進入して上辺部から表示領域外に出て仮停止する第２軌道データ８６がスクランブル軌道データ記憶エリア６６２Ｂに予め登録されている。即ち、この第２軌道データ８６は、液晶表示器１９の左上角部に表示されているリーチパターンの左図柄と右図柄と同じ特定図柄「Ａ」が隠されたコーヒーカップ８１が最終的に表示領域外で仮停止し、「リーチハズレ」が発生する軌道データである。
また、図１３（Ｄ）に示すように、スクランブルリーチＡの左側図柄としてのコーヒーカップ８１の軌道標識「ＡＡ−２」に対応して、該コーヒーカップ８１が液晶表示器１９の上辺部から表示領域外に出た後、再度、上辺部から表示領域内に進入し、更に右辺部から表示領域外に出て、再度右辺部から表示領域内に進入して下辺部から表示領域外に出て仮停止する第３軌道データ８７がスクランブル軌道データ記憶エリア６６２Ｂに予め登録されている。即ち、この第３軌道データ８７は、液晶表示器１９の左上角部に表示されているリーチパターンの左図柄と右図柄と同じ特定図柄「Ａ」が隠されたコーヒーカップ８１が最終的に表示領域外で仮停止し、「リーチハズレ」が発生する軌道データである。
【００５３】
続いて、スクランブルリーチＡのリーチ表示パターンの表示の際に選択される各軌道標識ＡＢ−０〜ＡＢ−３に対応する各軌道データの一例を図１４に基づいて説明する。
図１４（Ａ）に示すように、スクランブルリーチＡのリーチ表示パターンの表示の際に選択される各軌道標識ＡＢ−０〜ＡＢ−３に対応する各軌道データの原点位置は、最初に液晶表示器１９の中央部に表示される２個の各コーヒーカップ８１、８２のうちの右側のコーヒーカップ８２の位置である。また、このコーヒーカップ８２内には、液晶表示器１９の左上角部に表示されているリーチパターンの左図柄と右図柄の特定図柄「Ａ」より「１」多い特定図柄「Ｂ」が隠されている。
そして、図１４（Ｂ）に示すように、スクランブルリーチＡの右側図柄としてのコーヒーカップ８２の軌道標識「ＡＢ−０」に対応して、該コーヒーカップ８２が液晶表示器１９の下辺部から表示領域外に出た後、再度、下辺部から表示領域内に進入し、更に上辺部から表示領域外に出て、仮停止する第４軌道データ８８がスクランブル軌道データ記憶エリア６６２Ｂに予め登録されている。即ち、この第４軌道データ８８は、液晶表示器１９の左上角部に表示されているリーチパターンの左図柄と右図柄の特定図柄「Ａ」より「１」多い特定図柄「Ｂ」が隠されたコーヒーカップ８２が最終的に表示領域外で仮停止し、「大当たり」が発生する軌道データである。
【００５４】
また、図１４（Ｃ）に示すように、スクランブルリーチＡの右側図柄としてのコーヒーカップ８２の軌道標識「ＡＢ−１」に対応して、該コーヒーカップ８２が液晶表示器１９の下辺部から表示領域外に出た後、再度、下辺部から表示領域内に進入し、更に左辺部から表示領域外に出て、再度左辺部から表示領域内に進入して表示領域の中央部で仮停止する第５軌道データ８９がスクランブル軌道データ記憶エリア６６２Ｂに予め登録されている。即ち、この第５軌道データ８８は、液晶表示器１９の左上角部に表示されているリーチパターンの左図柄と右図柄の特定図柄「Ａ」より「１」多い特定図柄「Ｂ」が隠されたコーヒーカップ８２が最終的に表示領域の中央部で仮停止し、「リーチハズレ」が発生する軌道データである。
また、図１４（Ｄ）に示すように、スクランブルリーチＡの右側図柄としてのコーヒーカップ８２の軌道標識「ＡＢ−２」に対応して、該コーヒーカップ８２が液晶表示器１９の左辺部から表示領域外に出た後、再度、左辺部から表示領域内に進入し、更に上辺部から表示領域外に出て、再度上辺部から表示領域内に進入して表示領域の中央部で仮停止する第６軌道データ９０がスクランブル軌道データ記憶エリア６６２Ｂに予め登録されている。即ち、この第６軌道データ８９は、液晶表示器１９の左上角部に表示されているリーチパターンの左図柄と右図柄の特定図柄「Ａ」より「１」多い特定図柄「Ｂ」が隠されたコーヒーカップ８２が最終的に表示領域の中央部で仮停止し、「リーチハズレ」が発生する軌道データである。
【００５５】
また、図１４（Ｅ）に示すように、スクランブルリーチＡの右側図柄としてのコーヒーカップ８２の軌道標識「ＡＢ−３」に対応して、該コーヒーカップ８２が液晶表示器１９の右辺部から表示領域外に出た後、再度、上辺部から表示領域内に進入し、更に左辺部から表示領域外に出て、再度下辺部から表示領域内に進入して表示領域の中央部で仮停止する第７軌道データ９１がスクランブル軌道データ記憶エリア６６２Ｂに予め登録されている。即ち、この第７軌道データ９１は、液晶表示器１９の左上角部に表示されているリーチパターンの左図柄と右図柄の特定図柄「Ａ」より「１」多い特定図柄「Ｂ」が隠されたコーヒーカップ８２が最終的に表示領域の中央部で仮停止し、「リーチハズレ」が発生する軌道データである。
【００５６】
次に、スクランブルリーチＢのリーチ表示パターンの表示の際に選択される各軌道標識ＢＡ−０〜ＢＡ−２に対応する各軌道データの一例を図１５に基づいて説明する。
図１５（Ａ）に示すように、スクランブルリーチＢのリーチ表示パターンの表示の際に選択される各軌道標識ＢＡ−０〜ＢＡ−２に対応する各軌道データの原点位置は、最初に液晶表示器１９の中央部に表示される２個の各コーヒーカップ９５、９６のうちの右側のコーヒーカップ９６の位置である。また、このコーヒーカップ９６内には、液晶表示器１９の左上角部に表示されているリーチパターンの左図柄と右図柄と同じ特定図柄「Ａ」が隠されている。
そして、図１５（Ｂ）に示すように、スクランブルリーチＢの右側図柄としてのコーヒーカップ９６の軌道標識「ＢＡ−０」に対応して、該コーヒーカップ９６が液晶表示器１９の下辺部から表示領域外に出た後、再度、左辺部から表示領域内に進入し、更に上辺部から表示領域外に出て、再度上辺部から表示領域内に進入して表示領域の中央部で仮停止する第８軌道データ９８がスクランブル軌道データ記憶エリア６６２Ｂに予め登録されている。即ち、この第８軌道データ９８は、液晶表示器１９の左上角部に表示されているリーチパターンの左図柄と右図柄と同じ特定図柄「Ａ」が隠されたコーヒーカップ９６が最終的に表示領域の中央部で仮停止し、「大当たり」が発生する軌道データである。
【００５７】
また、図１５（Ｃ）に示すように、スクランブルリーチＢの右側図柄としてのコーヒーカップ９６の軌道標識「ＢＡ−１」に対応して、該コーヒーカップ９６が液晶表示器１９の下辺部から表示領域外に出た後、再度、下辺部から表示領域内に進入し、更に左辺部から表示領域外に出て、再度左辺部から表示領域内に進入して上辺部から表示領域外に出て仮停止する第９軌道データ９９がスクランブル軌道データ記憶エリア６６２Ｂに予め登録されている。即ち、この第９軌道データ９９は、液晶表示器１９の左上角部に表示されているリーチパターンの左図柄と右図柄と同じ特定図柄「Ａ」が隠されたコーヒーカップ９６が最終的に表示領域外で仮停止し、「リーチハズレ」が発生する軌道データである。
また、図１５（Ｄ）に示すように、スクランブルリーチＢの右側図柄としてのコーヒーカップ９６の軌道標識「ＢＡ−２」に対応して、該コーヒーカップ９６が液晶表示器１９の下辺部から表示領域外に出た後、再度、左辺部から表示領域内に進入して上辺部近傍位置で方向転換をし、再度下辺部から表示領域外に出て仮停止する第１０軌道データ１００がスクランブル軌道データ記憶エリア６６２Ｂに予め登録されている。即ち、この第１０軌道データ１００は、液晶表示器１９の左上角部に表示されているリーチパターンの左図柄と右図柄と同じ特定図柄「Ａ」が隠されたコーヒーカップ９６が最終的に表示領域外で仮停止し、「リーチハズレ」が発生する軌道データである。
【００５８】
続いて、スクランブルリーチＢのリーチ表示パターンの表示の際に選択される各軌道標識ＢＢ−０〜ＢＢ−３に対応する各軌道データの一例を図１６に基づいて説明する。
図１６（Ａ）に示すように、スクランブルリーチＢのリーチ表示パターンの表示の際に選択される各軌道標識ＢＢ−０〜ＢＢ−３に対応する各軌道データの原点位置は、最初に液晶表示器１９の中央部に表示される２個の各コーヒーカップ９５、９６のうちの左側のコーヒーカップ９５の位置である。また、このコーヒーカップ９５内には、液晶表示器１９の左上角部に表示されているリーチパターンの左図柄と右図柄の特定図柄「Ａ」より「１」少ない特定図柄「Ｃ」が隠されている。
そして、図１６（Ｂ）に示すように、スクランブルリーチＢの左側図柄としてのコーヒーカップ９５の軌道標識「ＢＢ−０」に対応して、該コーヒーカップ９５が液晶表示器１９の下辺部から表示領域外に出た後、再度、左辺部から表示領域内に進入し、更に上辺部から表示領域外に出て、仮停止する第１１軌道データ１０１がスクランブル軌道データ記憶エリア６６２Ｂに予め登録されている。即ち、この第１１軌道データ１０１は、液晶表示器１９の左上角部に表示されているリーチパターンの左図柄と右図柄の特定図柄「Ａ」より「１」少ない特定図柄「Ｃ」が隠されたコーヒーカップ９５が最終的に表示領域外で仮停止し、「大当たり」が発生する軌道データである。
【００５９】
また、図１６（Ｃ）に示すように、スクランブルリーチＢの左側図柄としてのコーヒーカップ９５の軌道標識「ＢＢ−１」に対応して、該コーヒーカップ９５が液晶表示器１９の上辺部から表示領域外に出た後、再度、上辺部から表示領域内に進入し、更に右辺部から表示領域外に出て、再度右辺部から表示領域内に進入後、下辺部から表示領域外に出て、再度下辺部から表示領域内に進入して表示領域の中央部で仮停止する第１２軌道データ１０２がスクランブル軌道データ記憶エリア６６２Ｂに予め登録されている。即ち、この第１２軌道データ１０２は、液晶表示器１９の左上角部に表示されているリーチパターンの左図柄と右図柄の特定図柄「Ａ」より「１」少ない特定図柄「Ｃ」が隠されたコーヒーカップ９５が最終的に表示領域の中央部で仮停止し、「リーチハズレ」が発生する軌道データである。
また、図１６（Ｄ）に示すように、スクランブルリーチＢの左側図柄としてのコーヒーカップ９５の軌道標識「ＢＢ−２」に対応して、該コーヒーカップ９５が液晶表示器１９の下辺部から表示領域外に出た後、再度、下辺部から表示領域内に進入し、更に右辺部から表示領域外に出て、再度右辺部から表示領域内に進入して表示領域の中央部で仮停止する第１３軌道データ１０３がスクランブル軌道データ記憶エリア６６２Ｂに予め登録されている。即ち、この第１３軌道データ１０３は、液晶表示器１９の左上角部に表示されているリーチパターンの左図柄と右図柄の特定図柄「Ａ」より「１」少ない特定図柄「Ｃ」が隠されたコーヒーカップ９５が最終的に表示領域の中央部で仮停止し、「リーチハズレ」が発生する軌道データである。
【００６０】
また、図１６（Ｅ）に示すように、スクランブルリーチＢの左側図柄としてのコーヒーカップ９６の軌道標識「ＢＢ−３」に対応して、該コーヒーカップ９５が液晶表示器１９の上辺部から表示領域外に出た後、再度、上辺部から表示領域内に進入し、更に下辺部から表示領域外に出て、再度下辺部から表示領域内に進入して表示領域の中央部で仮停止する第１４軌道データ１０４がスクランブル軌道データ記憶エリア６６２Ｂに予め登録されている。即ち、この第１４軌道データ１０４は、液晶表示器１９の左上角部に表示されているリーチパターンの左図柄と右図柄の特定図柄「Ａ」より「１」少ない特定図柄「Ｃ」が隠されたコーヒーカップ９５が最終的に表示領域の中央部で仮停止し、「リーチハズレ」が発生する軌道データである。
【００６１】
次に、このように構成された主基板４６及び表示制御基板６６のリーチハズレ等の表示制御処理について図１７乃至図１９に基づいて説明する。
図１７に示すように、先ず、ステップ（以下、Ｓという）１において、ＣＰＵ４６１は、始動口３１のパチンコ球の入賞、即ち始動口スイッチからのパチンコ球の検出信号が、入出力回路（Ｉ／Ｏ）４６４を介して入力された場合には、始動口３１にパチンコ球が入ったと判断し（図１８（Ａ）参照）、始動口スイッチからパチンコ球の検出信号が入力された時の大当たりカウンタ４６３Ａに記憶されている数値をその時の「大当たりカウント値」として代数Ｖに代入してパラメータ記憶エリア４６３Ｋに記憶する。従って、この代数Ｖには「０」〜「３５９」のいずれかの数値が代入されてパラメータ記憶エリア４６３Ｋに記憶される。
また、同時に、ＣＰＵ４６１は、始動口スイッチから入賞の信号が入力されたときの普通図柄カウンタ４６３Ｂに記憶されている数値をその時の「普通図柄カウント値」として代数Ｕに代入してパラメータ記憶エリア４６３Ｋに記憶する。従って、この代数Ｕには「０」〜「９」のいずれかの数値が代入されてパラメータ記憶エリア４６３Ｋに記憶される。
【００６２】
また、同時に、ＣＰＵ４６１は、始動口スイッチから入賞の信号が入力されたときの第１保留カウンタ４６３Ｃに記憶されている数値をその時の「第１保留カウント値」として代数Ｗ１に代入してパラメータ記憶エリア４６３Ｋに記憶する。従って、この代数Ｗ１には「０」〜「４」のいずれかの数値が代入されてパラメータ記憶エリア４６３Ｋに記憶される。
また、同時に、ＣＰＵ４６１は、始動口スイッチから入賞の信号が入力されたときの第２保留カウンタ４６３Ｄに記憶されている数値をその時の「第２保留カウント値」として代数Ｗ２に代入してパラメータ記憶エリア４６３Ｋに記憶する。従って、この代数Ｗ２には「０」〜「４」のいずれかの数値が代入されてパラメータ記憶エリア４６３Ｋに記憶される。
【００６３】
また、同時に、ＣＰＵ４６１は、始動口スイッチから入賞の信号が入力されたときの変動パターン選択カウンタ４６３Ｅに記憶されている数値をその時の「変動パターン選択カウント値」として代数Ｍに代入してパラメータ記憶エリア４６３Ｋに記憶する。従って、この代数Ｍには「０」〜「１９９」のいずれかの数値が代入されてパラメータ記憶エリア４６３Ｋに記憶される。
また、同時に、ＣＰＵ４６１は、始動口スイッチから入賞の信号が入力されたときのリーチカウンタ４６３Ｆに記憶されている数値をその時の「リーチカウント値」として代数Ｎに代入してパラメータ記憶エリア４６３Ｋに記憶する。従って、この代数Ｎには「０」〜「１９」のいずれかの数値が代入されてパラメータ記憶エリア４６３Ｋに記憶される。
【００６４】
また、同時に、ＣＰＵ４６１は、始動口スイッチから入賞の信号が入力されたときの大当たり図柄選択カウンタ４６３Ｇに記憶されている数値をその時の「大当たり図柄選択カウント値」として代数Ｙに代入してパラメータ記憶エリア４６３Ｋに記憶する。従って、この代数Ｙには「０」〜「８」のいずれかの数値が代入されてパラメータ記憶エリア４６３Ｋに記憶される。
また、同時に、ＣＰＵ４６１は、始動口スイッチから入賞の信号が入力されたときの普通図柄選択カウンタ４６３Ｈに記憶されている数値をその時の「普通図柄選択カウント値」として代数Ｘに代入してパラメータ記憶エリア４６３Ｋに記憶する。従って、この代数Ｘには「０」〜「３」のいずれかの数値が代入されてパラメータ記憶エリア４６３Ｋに記憶される。
【００６５】
また、同時に、ＣＰＵ４６１は、始動口スイッチから入賞の信号が入力されたときのハズレ図柄選択カウンタ４６３Ｉに記憶されている数値をその時の「ハズレ図柄選択カウント値」として代数Ｉに代入してパラメータ記憶エリア４６３Ｋに記憶する。従って、この代数Ｉには「０」〜「２００」のいずれかの数値が代入されてパラメータ記憶エリア４６３Ｋに記憶される。
更に、同時に、ＣＰＵ４６１は、始動口スイッチから入賞の信号が入力されたときのリーチ図柄選択カウンタ４６３Ｊに記憶されている数値をその時の「リーチ図柄選択カウント値」として代数Ｆに代入してパラメータ記憶エリア４６３Ｋに記憶する。従って、この代数Ｆには「０」〜「１４３」のいずれかの数値が代入されてパラメータ記憶エリア４６３Ｋに記憶される。
尚、液晶表示器１９に表示される変動図柄の変動中に始動口３１に入賞したパチンコ球の各入賞時の上記各カウント値がパラメータ記憶エリア４６３Ｋに記憶されて、順次後述のＳ２以降の処理が実行される。
【００６６】
次に、Ｓ２において、ＣＰＵ４６１は「大当たり」が発生したか否かを判定する判定処理を実行する。
この「大当たり」が発生したか否かの判定処理は、先ず、パラメータ記憶エリア４６３Ｋから「大当たりカウント値」としての代数Ｖを読み出す。そして、この代数Ｖが、ＲＯＭ４６２に記憶されている「大当たり数値」（例えば、通常の遊技状態の遊技には、「７」で、高確率状態、即ち確率変動モードの遊技状態の場合には、「３、５、７、１１」である。）と一致するかどうか判定する。
従って、通常の遊技状態の場合には、「大当たり」の発生確率は、１／３６０である。また、確率変動モードの遊技状態の場合には、「大当たり」の発生確率は、４／３６０である。これにより、確率変動モードの遊技状態の場合には、「大当たり」になる確率が、通常の遊技状態の場合の約４倍になる。
【００６７】
そして、パラメータ記憶エリア４６３Ｋから読み出した「大当たりカウント値」としての代数Ｖが「大当たり数値」と一致すれば、「大当たり」が発生したと判定され（Ｓ２：ＹＥＳ）、Ｓ３において、「大当たり変動処理」が実行される。
この「大当たり変動処理」は、先ず、ＣＰＵ４６１は、「大当たり」の変動パターンを選択して、この選択した変動パターンを表示制御基板６６のＣＰＵ６６１に指示する。即ち、ＣＰＵ４６１は、パラメータ記憶エリア４６３Ｋに記憶されるリーチカウント値としての代数Ｎを読み出し、この代数Ｎを大当たりリーチパターンテーブル記憶エリア４６２Ｂに記憶される大当たりリーチパターンテーブル７２の「リーチカウント値」として、対応する「大当り時リーチ表示パターン」を読み出し（第１確率）、この「大当り時リーチ表示パターン」を「変動パターン」として表示制御基板６６のＣＰＵ６６１に指示する。
【００６８】
また、この「変動パターン」として「スクランブルリーチＡ」又は「スクランブルリーチＢ」を選択した場合には、ＣＰＵ４６１は、再度、パラメータ記憶エリア４６３Ｋに記憶されるリーチカウント値としての代数Ｎを読み出し、この代数Ｎを大当たり軌道標識テーブル記憶エリア４６２Ｄに記憶される大当たり軌道標識テーブル７９の「リーチカウント値」として、対応する「左側図柄の軌道標識」と「右側図柄の軌道標識」を読み出し、この「左側図柄の軌道標識」と「右側図柄の軌道標識」とを、「スクランブルリーチＡ」又は「スクランブルリーチＢ」の「変動パターン」と共に表示制御基板６６のＣＰＵ６６１に指示する。
そして、表示制御基板６６のＣＰＵ６６１は、この指示された「ノーマルリーチ」、「ロングリーチ」、「スクランブルリーチＡ」、「スクランブルリーチＢ」のいずれかの「変動パターン」にしたがって変動表示を行う。また、「スクランブルリーチＡ」又は「スクランブルリーチＢ」の「変動パターン」の場合には、同時に指示された「左側図柄の軌道標識」と「右側図柄の軌道標識」とに対応する軌道データに従って後述のように２個のコーヒーカップを液晶表示器１９に移動表示する。
【００６９】
ここで、ＣＰＵ４６１は、パラメータ記憶エリア４６３Ｋから読み出した代数Ｎが「０、１」の場合には、「変動パターン」として「ノーマルリーチ」を表示制御基板６６のＣＰＵ６６１に指示する。そして、表示制御基板６６のＣＰＵ６６１は、この指示された「ノーマルリーチ」の「変動パターン」にしたがって変動表示を行う。
また、ＣＰＵ４６１は、パラメータ記憶エリア４６３Ｋから読み出した代数Ｎが「２〜４」の場合には、「変動パターン」として「ロングリーチ」を表示制御基板６６のＣＰＵ６６１に指示する。そして、表示制御基板６６のＣＰＵ６６１は、この指示された「ロングリーチ」の「変動パターン」にしたがって変動表示を行う。
【００７０】
また、ＣＰＵ４６１は、パラメータ記憶エリア４６３Ｋから読み出した代数Ｎが「５〜１０」の場合には、「変動パターン」として「スクランブルリーチＡ」を表示制御基板６６のＣＰＵ６６１に指示する。また、「変動パターン」として「スクランブルリーチＡ」を選択した場合には、ＣＰＵ４６１は、再度、パラメータ記憶エリア４６３Ｋに記憶されるリーチカウント値としての代数Ｎを読み出し、この代数Ｎを大当たり軌道標識テーブル記憶エリア４６２Ｄに記憶される大当たり軌道標識テーブル７９の「リーチカウント値」として、対応する「左側図柄の軌道標識」と「右側図柄の軌道標識」を表示制御基板６６のＣＰＵ６６１に指示する。即ち、「左側図柄の軌道標識」として「ＡＡ−０」、「右側図柄の軌道標識」として「ＡＢ−０」を表示制御基板６６のＣＰＵ６６１に指示する。
【００７１】
一方、表示制御基板６６のＣＰＵ６６１は、主基板４６から指示された「変動パターン」としての「スクランブルリーチＡ」、「左側図柄の軌道標識」と「右側図柄の軌道標識」としてそれぞれ「ＡＡ−０」、「ＡＢ−０」をＲＡＭ６６３に記憶する。そして、ＣＰＵ６６１は、「スクランブルリーチＡ」に対応する変動図柄をスクランブル図柄データ記憶エリア６６２Ａから読み出し、ＲＡＭ６６３に記憶する。また、ＣＰＵ６６１は、各軌道標識「ＡＡ−０」、「ＡＢ−０」に対応する軌道データをスクランブル記憶データ記憶領域６６２Ｂから読み出し、即ち、左側図柄の軌道データとして第１軌道データ８５（図１３（Ｂ）参照）を読み出し、右側図柄の軌道データとして第４軌道データ８８（図１４（Ｂ）を読み出してＲＡＭ６６３に記憶する。そして、ＣＰＵ６６１は、「スクランブルリーチＡ」に対応する各変動図柄をそれぞれ第１軌道データ８５と第４軌道データ８８に基づいて約１０秒間移動表示後、大当たり表示を行う。
【００７２】
例えば、図１８（Ｂ）〜（Ｉ）に示すように、ＣＰＵ６６１は、液晶表示器１９の３列の変動図柄の変動を開始し（図１８（Ｂ））、左図柄と右図柄を特定図柄（例えば、「７」の特定図柄）で一旦停止させ、中図柄が変動するリーチ表示状態を表示する（図１８（Ｃ））。続いて、左図柄と右図柄とを液晶表示器１９の左上に小さく並んで表示し、表示画面中央部に煙の中から同じ形、色、模様の２個のコーヒーカップ８１、８２が出現するように表示する（図１８（Ｄ）、（Ｅ））。そして、各コーヒーカップ８１、８２の中から煙が少し吹き出すと共に、該コーヒーカップ８１、８２の中に隠されている各特定図柄が飛び出して確認表示され、再度それぞれのコーヒーカップ８１、８２の中に隠れるように表示される（図１８（Ｆ））。これにより、各コーヒーカップ８１、８２の中に隠されている特定図柄（例えば、画面左上に各特定図柄「７７」が表示されている場合には、左側のコーヒーカップ８１の中には特定図柄「７」が隠され、右側のコーヒーカップ８２の中には特定図柄「７」より「１」多い特定図柄「８」が隠されている。）を遊技者は確認できる。
そして続いて、ＣＰＵ６６１は、左側のコーヒーカップ８１を第１軌道データ８５に基づいて移動表示すると共に、右側のコーヒーカップ８２を第４軌道データ８８に基づいて移動表示する（図１８（Ｇ））。そして、ＣＰＵ６６１は、約１０秒後に、左側のコーヒーカップ８１を画面中央部に少し大きく表示すると共に、右側のコーヒーカップ８２が表示領域外に移動するように表示する（図１８（Ｈ））。その後、ＣＰＵ６６１は、画面中央部に表示された左側のコーヒーカップ８１の中から隠されている特定図柄（例えば、特定図柄「７」）を出現させて「大当たり」が発生した旨を表示する（図１８（Ｉ））。
【００７３】
また、ＣＰＵ４６１は、パラメータ記憶エリア４６３Ｋから読み出した代数Ｎが「１１〜１９」の場合には、「変動パターン」として「スクランブルリーチＢ」を表示制御基板６６のＣＰＵ６６１に指示する。また、「変動パターン」として「スクランブルリーチＢ」を選択した場合には、ＣＰＵ４６１は、再度、パラメータ記憶エリア４６３Ｋに記憶されるリーチカウント値としての代数Ｎを読み出し、この代数Ｎを大当たり軌道標識テーブル記憶エリア４６２Ｄに記憶される大当たり軌道標識テーブル７９の「リーチカウント値」として、対応する「左側図柄の軌道標識」と「右側図柄の軌道標識」を表示制御基板６６のＣＰＵ６６１に指示する。即ち、「左側図柄の軌道標識」として「ＢＢ−０」、「右側図柄の軌道標識」として「ＢＡ−０」を表示制御基板６６のＣＰＵ６６１に指示する。
【００７４】
一方、表示制御基板６６のＣＰＵ６６１は、主基板４６から指示された「変動パターン」としての「スクランブルリーチＢ」、「左側図柄の軌道標識」と「右側図柄の軌道標識」としてそれぞれ「ＢＢ−０」、「ＢＡ−０」をＲＡＭ６６３に記憶する。そして、ＣＰＵ６６１は、「スクランブルリーチＢ」に対応する変動図柄をスクランブル図柄データ記憶エリア６６２Ａから読み出し、ＲＡＭ６６３に記憶する。また、ＣＰＵ６６１は、各軌道標識「ＢＢ−０」、「ＢＡ−０」に対応する軌道データをスクランブル記憶データ記憶領域６６２Ｂから読み出し、即ち、左側図柄の軌道データとして第１１軌道データ１０１（図１６（Ｂ）参照）を読み出し、右側図柄の軌道データとして第８軌道データ９８（図１５（Ｂ）を読み出してＲＡＭ６６３に記憶する。そして、ＣＰＵ６６１は、「スクランブルリーチＢ」に対応する各変動図柄をそれぞれ第１１軌道データ１０１と第８軌道データ９８に基づいて約１０秒間移動表示後、大当たり表示を行う。
【００７５】
例えば、ＣＰＵ６６１は、液晶表示器１９の３列の変動図柄の変動を開始し（図１８（Ｂ）参照）、左図柄と右図柄を特定図柄で一旦停止させ、中図柄が変動するリーチ表示状態を表示する（図１８（Ｃ）参照）。続いて、左図柄と右図柄とを液晶表示器１９の左上に小さく並んで表示し、表示画面中央部に煙の中から同じ形、色、模様の２個のコーヒーカップ９５、９６（図１５（Ａ）、図１６（Ａ）参照）が出現するように表示する（図１８（Ｄ）、（Ｅ）参照）。そして、各コーヒーカップ９５、９６の中から煙が少し吹き出すと共に、該コーヒーカップ９５、９６の中に隠されている各特定図柄が飛び出して確認表示され、再度それぞれのコーヒーカップ９５、９６の中に隠れるように表示される（図１８（Ｆ）参照）。これにより、各コーヒーカップ９５、９６の中に隠されている特定図柄（例えば、画面左上に各特定図柄「７７」が表示されている場合には、左側のコーヒーカップ９５の中には特定図柄「７」より「１」少ない特定図柄「６」が隠され、右側のコーヒーカップ９６の中には特定図柄「７」が隠されている。）を遊技者は確認できる。
そして続いて、ＣＰＵ６６１は、左側のコーヒーカップ９５を第１１軌道データ１０１に基づいて移動表示すると共に、右側のコーヒーカップ９６を第８軌道データ９８に基づいて移動表示する（図１８（Ｇ）参照）。そして、ＣＰＵ６６１は、約１０秒後に、右側のコーヒーカップ９６を画面中央部に少し大きく表示すると共に、左側のコーヒーカップ９５が表示領域外に移動するように表示する（図１８（Ｈ）参照）。その後、ＣＰＵ６６１は、画面中央部に表示された右側のコーヒーカップ９６の中から隠されている特定図柄（例えば、特定図柄「７」）を出現させて「大当たり」が発生した旨を表示する（図１８（Ｉ）参照）。
【００７６】
そして、Ｓ４において、主基板４６のＣＰＵ４６１は、後述の「大当たり遊技処理」のサブ処理（図１９参照）を実行後、当該処理を終了する。
この「大当たり遊技処理」のサブ処理（Ｓ４）について図１９に基づいて説明する。
図１９に示すように、先ず、Ｓ１６において、ＣＰＵ４６１は、不図示のソレノイドを介して大入賞口４０を閉塞する開閉扉３９を開放する。
続いて、Ｓ１７において、大入賞口４０に入賞した入賞球が１０個に達したか否か、即ち、不図示の大入賞口カウントスイッチにより検出された入賞個数が１０個に達したか否か判定する。
そして、大入賞口４０に入賞した入賞球が１０個に達していない場合には（Ｓ１７：ＮＯ）、Ｓ１８において、大入賞口４０を開放してから所定時間（本実施形態の場合は、２５秒である。）経過したか否か判定する。そして、大入賞口４０を開放してから所定時間経過していない場合には（Ｓ１８：ＮＯ）、再度、Ｓ１６以降の処理を実行する。
【００７７】
一方、大入賞口４０に入賞した入賞球が１０個に達した場合（Ｓ１７：ＹＥＳ）、若しくは大入賞口４０を開放してから所定時間経過した場合には（Ｓ１８：ＹＥＳ）、Ｓ１９において、ＣＰＵ４６１は、不図示のソレノイドを介して、開閉扉３９を閉じて大入賞口４０を閉塞する。
続いて、Ｓ２０において、ＣＰＵ４６１は、大入賞口４０の開放中に該大入賞口４０内に設けられるＶゾーンに入賞したか否か、即ち大入賞口４０の開放中に不図示のＶスイッチから入賞球の検出信号が入力されているか否か判定する判定処理を実行する。
【００７８】
そして、大入賞口４０の開放中に該Ｖスイッチから入賞検出信号が入力されている場合には（Ｓ２０：ＹＥＳ）、Ｓ２１において、大入賞口４０を継続して開放した回数が所定の最高継続回数（本実施形態の場合には、「１６回」である。）に達したか否か判定する判定処理を実行する。この大入賞口４０を開放した回数が、所定の最高継続回数に達していない場合には（Ｓ２１：ＮＯ）、大入賞口４０を閉塞してから所定時間（本実施形態では、約２秒である。）経過後、再度、Ｓ１６以降の処理を実行する。
また、大入賞口４０の開放中にＶスイッチから入賞検出信号が入力されていない場合（Ｓ２０：ＮＯ）、若しくは、この大入賞口４０を開放した回数が、所定の最高継続回数に達した場合には（Ｓ２１：ＹＥＳ）、当該サブ処理を終了してメインフローチャートに戻る。
【００７９】
一方、Ｓ２において、ＣＰＵ４６１は、パラメータ記憶エリア４６３Ｋから読み出した「大当たりカウント値」としての代数Ｖが「大当たり数値」と一致しない場合には、「ハズレ」が発生したと判定して（Ｓ２：ＮＯ）、Ｓ５において、「リーチハズレ」か「完全ハズレ」かを判定する、即ち、液晶表示器１９に３列の各左、中、右図柄の変動表示後、リーチパターンの変動状態を表示してからハズレ図柄を一旦停止状態で表示する変動パターンか、３列の各左、中、右図柄の変動表示後、順次ハズレ図柄を一旦停止状態で表示する変動パターンかを判定する判定処理を実行する。
この「リーチハズレ」か「完全ハズレ」かを判定する判定処理は、先ず、パラメータ記憶エリア４６３Ｋから「変動パターン選択カウント値」としての代数Ｍを読み出す。そして、この代数ＭがＲＯＭ４６２に記憶されている「第１ハズレ数値」（本実施形態の場合は、第１ハズレ数値は、０〜２７である。）と一致するかどうか判定する。
【００８０】
そして、パラメータ記憶エリア４６３Ｋから読み出した「変動パターン選択カウント値」の代数Ｍが「第１ハズレ数値」と一致すれば、「リーチハズレ」が発生したと判定され（Ｓ５：ＹＥＳ）、Ｓ６において、「ハズレリーチ」の表示パターンの選択処理を実行する。
この「ハズレリーチ」の表示パターンの選択処理は、先ず、ＣＰＵ４６１は、「ハズレリーチ」の変動パターンを選択して、この選択した変動パターンを表示制御基板６６のＣＰＵ６６１に指示する。即ち、ＣＰＵ４６１は、パラメータ記憶エリア４６３Ｋに記憶されるリーチカウント値としての代数Ｎを読み出し、この代数Ｎを外れリーチパターンテーブル記憶エリア４６２Ａに記憶される外れリーチパターンテーブル７１の「リーチカウント値」として、対応する「外れ時リーチ表示パターン」を読み出し（第１確率）、この「外れ時リーチ表示パターン」を「変動パターン」として表示制御基板６６のＣＰＵ６６１に指示する。
【００８１】
また、この「変動パターン」として「スクランブルリーチＡ」を選択した場合には、ＣＰＵ４６１は、再度、パラメータ記憶エリア４６３Ｋに記憶される大当たりカウント値としての代数Ｖを読み出し、この代数Ｖを外れ軌道標識テーブル記憶エリア４６２Ｃに記憶される各外れ軌道標識テーブル７５、７６（図１０参照）の「大当たりカウント値」として、対応する「左側図柄の軌道標識」（第２確率で選択される）と「右側図柄の軌道標識」（第３確率で選択される）を読み出し、この「左側図柄の軌道標識」と「右側図柄の軌道標識」とを、ハズレリーチの「スクランブルリーチＡ」の「変動パターン」と共に表示制御基板６６のＣＰＵ６６１に指示する。
また、この「変動パターン」として「スクランブルリーチＢ」を選択した場合には、ＣＰＵ４６１は、再度、パラメータ記憶エリア４６３Ｋに記憶される大当たりカウント値としての代数Ｖを読み出し、この代数Ｖを外れ軌道標識テーブル記憶エリア４６２Ｃに記憶される各外れ軌道標識テーブル７７、７８（図１１参照）の「大当たりカウント値」として、対応する「左側図柄の軌道標識」（第３確率で選択される）と「右側図柄の軌道標識」（第２確率で選択される）を読み出し、この「左側図柄の軌道標識」と「右側図柄の軌道標識」とを、ハズレリーチの「スクランブルリーチＢ」の「変動パターン」と共に表示制御基板６６のＣＰＵ６６１に指示する。
【００８２】
ここで、ＣＰＵ４６１は、パラメータ記憶エリア４６３Ｋから読み出した代数Ｎが「０〜９」の場合には、「変動パターン」としてハズレリーチの「ノーマルリーチ」を表示制御基板６６のＣＰＵ６６１に指示する。
そして、Ｓ７において、表示制御基板６６のＣＰＵ６６１は、この指示されたハズレリーチの「ノーマルリーチ」の「変動パターン」にしたがって変動表示を行い、リーチハズレの表示を行った後、当該処理を終了する。
【００８３】
また、Ｓ６において、ＣＰＵ４６１は、パラメータ記憶エリア４６３Ｋから読み出した代数Ｎが「１０〜１３」の場合には、「変動パターン」としてハズレリーチの「ロングリーチ」を表示制御基板６６のＣＰＵ６６１に指示する。
そして、Ｓ８において、表示制御基板６６のＣＰＵ６６１は、この指示されたハズレリーチの「ロングリーチ」の「変動パターン」にしたがって変動表示を行い、リーチハズレの表示を行った後、当該処理を終了する。
【００８４】
また、Ｓ６において、ＣＰＵ４６１は、パラメータ記憶エリア４６３Ｋから読み出した代数Ｎが「１４〜１６」の場合には、「変動パターン」としてハズレリーチの「スクランブルリーチＡ」を表示制御基板６６のＣＰＵ６６１に指示する。
また、「変動パターン」としてハズレリーチの「スクランブルリーチＡ」を選択した場合には、ＣＰＵ４６１は、再度、パラメータ記憶エリア４６３Ｋに記憶される大当たりカウント値としての代数Ｖを読み出し、この代数Ｖを外れ軌道標識テーブル記憶エリア４６２Ｃに記憶される各外れ軌道標識テーブル７５、７６の「大当たりカウント値」として、対応する「左側図柄の軌道標識」と「右側図柄の軌道標識」をそれぞれ選択して、表示制御基板６６のＣＰＵ６６１に指示する。よって、ＣＰＵ４６１は、代数Ｖが「０〜１７９（７を除く）」の場合には、「左側図柄の軌道標識」として「ＡＡ−１」を選択し、また、代数Ｖが「１８０〜３５９」の場合には、「左側図柄の軌道標識」として「ＡＡ−２」を選択して、表示制御基板６６のＣＰＵ６６１に該「左側図柄の軌道標識」を指示する。また、ＣＰＵ４６１は、代数Ｖが「０〜９９（７を除く）」の場合には、「右側図柄の軌道標識」として「ＡＢ−１」を選択し、また、代数Ｖが「１００〜２４９」の場合には、「右側図柄の軌道標識」として「ＡＢ−２」を選択し、更に、代数Ｖが「２５０〜３５９」の場合には、「右側図柄の軌道標識」として「ＡＢ−３」を選択して、表示制御基板６６のＣＰＵ６６１に該「右側図柄の軌道標識」を指示する。これにより、ハズレリーチの「スクランブルリーチＡ」の「左側図柄の軌道標識」と「右側図柄の軌道標識」との組合せは、６通りの組合せになる。
【００８５】
そして、Ｓ９において、表示制御基板６６のＣＰＵ６６１は、主基板４６から指示された「変動パターン」としてのハズレリーチの「スクランブルリーチＡ」、「左側図柄の軌道標識」と「右側図柄の軌道標識」とをＲＡＭ６６３に記憶する。そして、ＣＰＵ６６１は、ハズレリーチの「スクランブルリーチＡ」に対応する変動図柄をスクランブル図柄データ記憶エリア６６２Ａから読み出し、ＲＡＭ６６３に記憶する。また、ＣＰＵ６６１は、「左側図柄の軌道標識」と「右側図柄の軌道標識」に対応する各軌道データをスクランブル記憶データ記憶領域６６２Ｂから読み出してＲＡＭ６６３に記憶する。そして、ＣＰＵ６６１は、「スクランブルリーチＡ」に対応する各変動図柄をそれぞれＲＡＭ６６３に記憶する各軌道データに基づいて約１０秒間移動表示後、ハズレリーチの表示を行った後、当該処理を終了する。
ここで、「左側図柄の軌道標識」に対応する各軌道データは、「ＡＡ−１」に対して第２軌道データ８６、「ＡＡ−２」に対応して第３軌道データ８７が対応する（図１３参照）。また、「右側図柄の軌道標識」に対応する各軌道データは、「ＡＢ−１」に対して第５軌道データ８９、「ＡＢ−２」に対応して第６軌道データ９０、「ＡＢ−３」に対応して第７軌道データ９１が対応する（図１４参照）。
【００８６】
例えば、表示制御基板６６のＣＰＵ６６１は、主基板４６から「変動パターン」としてのハズレリーチの「スクランブルリーチＡ」、「左側図柄の軌道標識」として「ＡＡ−１」、「右側図柄の軌道標識」として「ＡＢ−１」が指示された場合には、液晶表示器１９の３列の変動図柄の変動を開始し、左図柄と右図柄を特定図柄で一旦停止させ、中図柄が変動するリーチ表示状態を表示する（図１８（Ｂ）〜（Ｃ）参照）。続いて、左図柄と右図柄とを液晶表示器１９の左上に小さく並んで表示し、表示画面中央部に煙の中から同じ形、色、模様の２個のコーヒーカップ８１、８２が出現するように表示する（図１８（Ｄ）、（Ｅ）参照）。そして、各コーヒーカップ８１、８２の中から煙が少し吹き出すと共に、該コーヒーカップ８１、８２の中に隠されている各特定図柄が飛び出して確認表示され、再度それぞれのコーヒーカップ８１、８２の中に隠れるように表示される（図１８（Ｆ）参照）。これにより、各コーヒーカップ８１、８２の中に隠されている特定図柄（例えば、画面左上に各特定図柄「７７」が表示されている場合には、左側のコーヒーカップ８１の中には特定図柄「７」が隠され、右側のコーヒーカップ８２の中には特定図柄「７」より「１」多い特定図柄「８」が隠されている。）を遊技者は確認できる。
そして続いて、ＣＰＵ６６１は、左側のコーヒーカップ８１を第２軌道データ８６に基づいて移動表示すると共に、右側のコーヒーカップ８２を第５軌道データ８９に基づいて移動表示する（図１８（Ｇ）参照）。そして、ＣＰＵ６６１は、約１０秒後に、右側のコーヒーカップ８２を画面中央部に少し大きく表示すると共に、左側のコーヒーカップ８１が表示領域外に移動するように表示する（図１８（Ｈ）参照）。その後、ＣＰＵ６６１は、画面中央部に表示された右側のコーヒーカップ８２の中から隠されている特定図柄（例えば、特定図柄「８」）を出現させて「リーチハズレ」が発生した旨を表示する（図１８（Ｉ）参照）。
【００８７】
また、Ｓ６において、ＣＰＵ４６１は、パラメータ記憶エリア４６３Ｋから読み出した代数Ｎが「１７〜１９」の場合には、「変動パターン」としてハズレリーチの「スクランブルリーチＢ」を表示制御基板６６のＣＰＵ６６１に指示する。
また、「変動パターン」としてハズレリーチの「スクランブルリーチＢ」を選択した場合には、ＣＰＵ４６１は、再度、パラメータ記憶エリア４６３Ｋに記憶される大当たりカウント値としての代数Ｖを読み出し、この代数Ｖを外れ軌道標識テーブル記憶エリア４６２Ｃに記憶される各外れ軌道標識テーブル７７、７８の「大当たりカウント値」として、対応する「右側図柄の軌道標識」と「左側図柄の軌道標識」をそれぞれ選択して、表示制御基板６６のＣＰＵ６６１に指示する。よって、ＣＰＵ４６１は、代数Ｖが「０〜１７９（７を除く）」の場合には、「右側図柄の軌道標識」として「ＢＡ−１」を選択し、また、代数Ｖが「１８０〜３５９」の場合には、「左側図柄の軌道標識」として「ＢＡ−２」を選択して、表示制御基板６６のＣＰＵ６６１に該「右側図柄の軌道標識」を指示する。また、ＣＰＵ４６１は、代数Ｖが「０〜９９（７を除く）」の場合には、「左側図柄の軌道標識」として「ＢＢ−１」を選択し、また、代数Ｖが「１００〜２４９」の場合には、「左側図柄の軌道標識」として「ＢＢ−２」を選択し、更に、代数Ｖが「２５０〜３５９」の場合には、「左側図柄の軌道標識」として「ＢＢ−３」を選択して、表示制御基板６６のＣＰＵ６６１に該「左側図柄の軌道標識」を指示する。これにより、ハズレリーチの「スクランブルリーチＢ」の「左側図柄の軌道標識」と「右側図柄の軌道標識」との組合せは、６通りの組合せになる。
【００８８】
そして、Ｓ１０において、表示制御基板６６のＣＰＵ６６１は、主基板４６から指示された「変動パターン」としてのハズレリーチの「スクランブルリーチＢ」、「左側図柄の軌道標識」と「右側図柄の軌道標識」とをＲＡＭ６６３に記憶する。そして、ＣＰＵ６６１は、ハズレリーチの「スクランブルリーチＢ」に対応する変動図柄をスクランブル図柄データ記憶エリア６６２Ａから読み出し、ＲＡＭ６６３に記憶する。また、ＣＰＵ６６１は、「左側図柄の軌道標識」と「右側図柄の軌道標識」に対応する各軌道データをスクランブル記憶データ記憶領域６６２Ｂから読み出してＲＡＭ６６３に記憶する。そして、ＣＰＵ６６１は、「スクランブルリーチＢ」に対応する各変動図柄をそれぞれＲＡＭ６６３に記憶する各軌道データに基づいて約１０秒間移動表示後、ハズレリーチの表示を行った後、当該処理を終了する。
ここで、「右側図柄の軌道標識」に対応する各軌道データは、「ＢＡ−１」に対して第９軌道データ９９、「ＢＡ−２」に対応して第１０軌道データ１００が対応する（図１５参照）。また、「左側図柄の軌道標識」に対応する各軌道データは、「ＢＢ−１」に対して第１２軌道データ１０２、「ＢＢ−２」に対応して第１３軌道データ１０３、「ＢＢ−３」に対応して第１４軌道データ１０４が対応する（図１６参照）。
【００８９】
例えば、表示制御基板６６のＣＰＵ６６１は、主基板４６から「変動パターン」としてのハズレリーチの「スクランブルリーチＢ」、「右側図柄の軌道標識」として「ＢＡ−１」、「左側図柄の軌道標識」として「ＢＢ−１」が指示された場合には、液晶表示器１９の３列の変動図柄の変動を開始し、左図柄と右図柄を特定図柄で一旦停止させ、中図柄が変動するリーチ表示状態を表示する（図１８（Ｂ）〜（Ｃ）参照）。続いて、左図柄と右図柄とを液晶表示器１９の左上に小さく並んで表示し、表示画面中央部に煙の中から同じ形、色、模様の２個のコーヒーカップ９５、９６が出現するように表示する（図１５（Ａ）、図１６（Ａ）、図１８（Ｅ）参照）。そして、各コーヒーカップ９５、９６の中から煙が少し吹き出すと共に、該コーヒーカップ９５、９６の中に隠されている各特定図柄が飛び出して確認表示され、再度それぞれのコーヒーカップ９５、９６の中に隠れるように表示される（図１８（Ｆ）参照）。これにより、各コーヒーカップ９５、９６の中に隠されている特定図柄（例えば、画面左上に各特定図柄「７７」が表示されている場合には、左側のコーヒーカップ９５の中には特定図柄「７」より「１」少ない特定図柄「６」が隠され、右側のコーヒーカップ９６の中には特定図柄「７」が隠されている。）を遊技者は確認できる。
そして続いて、ＣＰＵ６６１は、左側のコーヒーカップ９５を第１２軌道データ１０２に基づいて移動表示すると共に、右側のコーヒーカップ９６を第９軌道データ９９に基づいて移動表示する（図１５（Ｃ）、図１６（Ｃ）、図１８（Ｇ）参照）。そして、ＣＰＵ６６１は、約１０秒後に、左側のコーヒーカップ９５を画面中央部に少し大きく表示すると共に、右側のコーヒーカップ９６が表示領域外に移動するように表示する（図１５（Ｃ）、図１６（Ｃ）、図１８（Ｈ）参照）。その後、ＣＰＵ６６１は、画面中央部に表示された左側のコーヒーカップ９５の中から隠されている特定図柄（例えば、特定図柄「６」）を出現させて「リーチハズレ」が発生した旨を表示する（図１６（Ｃ）、図１８（Ｉ）参照）。
【００９０】
他方、Ｓ５において、ＣＰＵ４６１は、パラメータ記憶エリア４６３Ｋから読み出した「変動パターン選択カウント値」の代数Ｍが「第１ハズレ数値」と一致しない場合には、即ち、該代数Ｍが「２８〜１９９」の場合には、「完全ハズレ」が発生したと判定し（Ｓ５：ＮＯ）、Ｓ１１において、パラメータ記憶エリア４６３Ｋからハズレ図柄選択カウント値Ｉを読み出し、ＲＯＭ４６２からこのハズレ図柄選択カウント値Ｉに対応するハズレ図柄を読み出し、このハズレ図柄と共に「完全ハズレ」の変動パターンを表示制御基板６６のＣＰＵ６６１に指示する。
そして、表示制御基板６６のＣＰＵ６６１は、この指示された「完全ハズレ」の変動パターンと、指示されたハズレ図柄にしたがって変動表示を行い、完全ハズレの表示を行った後、当該処理を終了する。
【００９１】
ここで、大当たり遊技は、特別遊技状態である。また、主基板４６上のクロック回路４６０、ＣＰＵ４６１、ＲＯＭ４６２、ＲＡＭ４６３は、主制御部を構成する。また、表示制御基板６６上のクロック回路６６０、ＣＰＵ６６１、ＲＯＭ６６２、ＲＡＭ６６３、ＶＤＰ６６５は、表示制御部を構成する。また、スクランブルリーチＡ及びスクランブルリーチＢの各表示パターンは、スクランブルリーチ表示パターンを構成する。また、ＣＰＵ４６１、ＲＯＭ４６２、ＲＡＭ４６３は、リーチ表示パターン選択手段を構成する。また、各コーヒーカップ８２、９５は、第１図柄を隠す図柄として機能する。また、各コーヒーカップ８１、９６は、第２図柄を隠す図柄として機能する。また、各軌道標識「ＡＢ−１」、「ＡＢ−２」、「ＡＢ−３」と各軌道標識「ＢＢ−１」、「ＢＢ−２」、「ＢＢ−３」は、それぞれ第１軌道標識として機能する。また、各軌道標識「ＡＡ−１」、「ＡＡ−２」と各軌道標識「ＢＡ−１」、「ＢＡ−２」は、それぞれ第２軌道標識として機能する。また、外れ軌道標識テーブル記憶エリア４６２Ｃ及び大当たり軌道標識テーブル記憶エリア４６２Ｄは、軌道記憶手段を構成する。また、また、ＣＰＵ４６１、ＲＯＭ４６２、ＲＡＭ４６３は、軌道標識選択手段を構成する。また、スクランブル図柄データ記憶エリア６６２Ａは、図柄データ記憶手段として機能する。また、スクランブル軌道データ記憶エリア６６２Ｂは、軌道データ記憶手段として機能する。
【００９２】
従って、本実施形態に係るパチンコ機１では、主基板４６のＣＰＵ４６１は、複数の左側図柄の軌道標識（ＡＡ−１、ＡＡ−２、ＢＢ−１、ＢＢ−２、ＢＢー３）と複数の右側図柄の軌道標識（ＡＢ−１、ＡＢ−２、ＡＢ−３、ＢＡ−１、ＢＡ−２）とを記憶しておき、一のスクランブルリーチ表示パターンがリーチ表示パターンとして選択された場合には、該スクランブルリーチ表示パターンに対する一の左側図柄の軌道標識を所定の確率で選択し、該スクランブルリーチ表示パターンに対する一の右側図柄の軌道標識を所定の確率で選択して表示制御基板６６のＣＰＵ６６１に出力するため、複数種類のスクランブルリーチ表示パターンのそれぞれに対する複数の左側図柄の軌道標識と複数の右側図柄の軌道標識との全ての組合せを予め各ＲＯＭ４６２に記憶しておく必要が無く（例えば、スクランブルリーチＡに対応する左側図柄の軌道標識を１０種類、右側図柄の軌道標識を３０種類の合計４０個の軌道標識を予めＲＯＭ４６２に記憶すればよく、全ての組み合わせとしての３００個の軌道標識を予めＲＯＭ４６２に記憶する必要がない。）、主基板４６のＲＯＭ４６２のメモリ容量の削減化及び製造コストの削減化を図ることができる。
また、表示制御基板６６のＣＰＵ６６１は、各スクランブルリーチ表示パターンの各左側図柄の軌道標識及び各右側図柄の軌道標識のそれぞれに対応する軌道データを個別に記憶しておき、主基板４６のＣＰＵ４６１から左側図柄の軌道標識と右側図柄の軌道標識とが入力された場合には、入力された左側図柄の軌道標識に対応する軌道データを各左側のコーヒーカップ８１、９５の軌道データとして移動表示し、入力された右側図柄の軌道標識に対応する軌道データを各右側のコーヒーカップ８２、９６の軌道データとして移動表示するため、複数種類のスクランブルリーチ表示パターンのそれぞれに対する左側図柄の軌道標識に対応する各軌道データと右側図柄の軌道標識に対応する各軌道データとの全ての組合せを予めＲＯＭ６６２に記憶しておく必要が無く、表示制御基板６６のＲＯＭ６６２のメモリ容量の大幅な削減化及び製造コストの削減化を図ることができる。例えば、スクランブルリーチＡに対応する左側図柄の軌道標識を１０種類、右側図柄の軌道標識を３０種類とした場合には、合計４０個の軌道標識の各々に対応する４０個の軌道データをスクランブルリーチＡに対応する軌道データとして予めＲＯＭ６６２に記憶すればよく、全ての組み合わせとしての３００個の軌道データを予めＲＯＭ６６２に記憶する必要がない。
【００９３】
また、各スクランブルリーチ表示パターンにおいて表示される各コーヒーカップ８１、８２、９５、９６を、遊技者の予測できないランダムに選択される所定の軌動に沿って移動表示でき、特別図柄表示装置１８の演出表示効果を高めることができ、遊技者の興趣を増大させることができる。
また、表示制御基板６６のＣＰＵ６６１は、スクランブルリーチ表示パターンを構成する左図柄の各コーヒーカップ８１、９５及び右図柄の各コーヒーカップ８２、９６の中に隠された各特定図柄（例えば「６」、「７」、「８」等）を最初に表示後、該特定図柄を隠して各コーヒーカップ８１、８２、９５、９６を移動表示するため、該各コーヒーカップ８１、８２、９５、９６の予測できない移動表示と相まって、遊技者は表示画面上の各特定図柄が隠された該各コーヒーカップ８１、８２、９５、９６を更に注視して追いかけなければならなくなり、遊技者を画像演出に更に引きつけることができ、遊技の行方についての期待感をより高めることができる。
【００９４】
また、各コーヒーカップ８１、８２、９５、９６のうち最終停止図柄でないコーヒーカップは、特別図柄表示装置１８の表示領域外に移動停止する、即ち、該各コーヒーカップ８１、８２、９５、９６は特定図柄が隠された状態で予測できない軌道上を移動表示された後、表示画面上には１個のコーヒーカップのみが表示されるため、最後に残ったコーヒーカップに隠された特定図柄への遊技者の期待感を更に高めることができ、遊技の興趣をより増大させることができる。
更に、各軌道データ８５、８６、８７、８８、８９、９０、９１、９８、９９、１００、１０１、１０２、１０３、１０４は、特別図柄表示装置１８の表示領域外に出入りする軌道を含むため、各コーヒーカップ８１、８２、９５、９６が表示領域外から表示画面に入ってくる位置を予測できず、遊技者の興味を表示画面に更に強く引きつけることができる。また、各コーヒーカップ８１、８２、９５、９６内に特定図柄が隠されて移動表示される場合には、表示領域外から表示画面に入ってきた各コーヒーカップ８１、８２、９５、９６内の特定図柄を予測することが更に困難になるため、最後に残った各コーヒーカップ８１、８２、９５、９６内に隠された特定図柄への遊技者の期待感をより高めることができ、遊技への興趣をより増大させることができる。
【００９５】
尚、本発明は、上記実施形態に限定されるものではなく、本発明の要旨を逸脱しない範囲内で種々の改良、変形が可能であることは勿論である。例えば、以下のようにしてもよい。
【実施例２】
【００９６】
（Ａ）上記実施形態では、一のスクランブルリーチ表示パターンがリーチ表示パターンとして選択された場合には、液晶表示器１９に左側図柄と右側図柄の２個の図柄を表示して、それぞれを所定の軌道に沿って移動させたが（図１８等参照）、液晶表示器１９に３個以上の図柄を表示して、それぞれを所定の軌道に沿って移動させる構成にしてもよい。尚、この場合にも、少なくとも一の図柄に対して３種類以上の軌道データを表示制御基板６６のＲＯＭ６６２に記憶すると共に、他の図柄に対して複数種類の軌道データを該ＲＯＭ６６２に記憶している。
【００９７】
例えば、図２０に示すように、表示制御基板６６のＣＰＵ６６１は、主基板４６から「変動パターン」としてのハズレリーチの「スクランブルリーチＡ」、「第１図柄の軌道標識」、「第２図柄の軌道標識」、「第３図柄の軌道標識」が指示された場合には、液晶表示器１９の３列の変動図柄の変動を開始し、左図柄と右図柄を特定図柄「７」で一旦停止させ、中図柄が変動するリーチ表示状態を表示する。続いて、左図柄と右図柄とを液晶表示器１９の左上に小さく並んで表示し、表示画面中央部に煙の中から同じ形、色、模様の３個のコーヒーカップ１１１、１１２、１１３が出現するように表示する（図２０（Ａ））。そして、各コーヒーカップ１１１、１１２、１１３の中から煙が少し吹き出すと共に、該コーヒーカップ１１１、１１２、１１３の中に隠されている各特定図柄「７」、「８」、「９」が飛び出して確認表示され、再度それぞれのコーヒーカップ１１１、１１２、１１３の中に隠れるように表示される（図２０（Ｂ））。
【００９８】
そして続いて、ＣＰＵ６６１は、左端のコーヒーカップ１１１を「第１図柄の軌道標識」に対応する軌道データ１１４に基づいて移動表示し、中央のコーヒーカップ１１２を「第２図柄の軌道標識」に対応する軌道データ１１５に基づいて移動表示し、右端のコーヒーカップ１１３を「第３図柄の軌道標識」に対応する軌道データ１１６に基づいて移動表示する（図２０（Ｃ））。そして、ＣＰＵ６６１は、約１０秒後に、コーヒーカップ１１２を画面中央部に少し大きく表示すると共に、各コーヒカップ１１１、１１３が表示領域外に移動するように表示する（図２０（Ｄ））。その後、ＣＰＵ６６１は、画面中央部に表示されたコーヒーカップ１１２の中から隠されている特定図柄「８」を出現させて「リーチハズレ」が発生した旨を表示する（図２０（Ｅ））。
【００９９】
従って、液晶表示器１９上に３個のコーヒーカップ１１１、１１２、１１３をランダムに移動表示する場合にも、表示制御基板６６のＣＰＵ６６１は、各スクランブルリーチ表示パターンの第１図柄、第２図柄、第３図柄の軌道標識のそれぞれに対応する軌道データを個別に記憶しておけばよいため、表示制御基板６６のＲＯＭ６６２のメモリ容量の大幅な削減化及び製造コストの削減化を図ることができる。また、３個のコーヒーカップ１１１、１１２、１１３を移動表示するため、該各コーヒーカップ１１１、１１２、１１３の予測できない移動表示と相まって、遊技者は表示画面上の各特定図柄が隠された該各コーヒーカップ１１１、１１２、１１３を更に注視して追いかけなければならなくなり、遊技者を画像演出に更に引きつけることができ、遊技の行方についての期待感をより高めることができる。
【実施例３】
【０１００】
（Ｂ）上記実施形態では、主基板４６のＣＰＵ４６１は、一のスクランブルリーチ表示パターンがリーチ表示パターンとして選択された場合には、該スクランブルリーチ表示パターンに対する一の左側図柄の軌道標識を所定の確率で選択し、該スクランブルリーチ表示パターンに対する一の右側図柄の軌道標識を所定の確率で選択して表示制御基板６６のＣＰＵ６６１に出力しているが、一のスクランブルリーチ表示パターンがリーチ表示パターンとして選択された場合には、該スクランブルリーチ表示パターンに対する一の左側図柄の移動時間を所定の確率で選択し、該スクランブルリーチ表示パターンに対する一の右側図柄の移動時間を所定の確率で選択して表示制御基板６６のＣＰＵ６６１に出力する構成にしてもよい。この場合には、表示制御基板６６のＲＯＭ６６２には、各スクランブルリーチ表示パターンに対して、各図柄のそれぞれの移動時間に対応する複数の軌道データが予め格納されている。そして、ＣＰＵ６６１は、スクランブルリーチ表示パターンと、左側図柄の移動時間と、右側図柄の移動時間とを入力された場合には、各図柄のそれぞれ移動時間に対応する複数の軌道データからそれぞれ一の軌道データをランダムに選択して、左側図柄と右側図柄とを該各軌道データに基づいて移動表示する構成にしてもよい。
【０１０１】
例えば、上記実施形態の各外れ軌道標識テーブル７５〜７８に替えて、主基板４６のＲＡＭ４６３には、図２１及び図２２に示す各外れ移動時間テーブル１２１〜１２４が格納されている。また、上記実施形態の大当たり軌道標識テーブル７９に替えて、主基板４６のＲＡＭ４６３には、図２３に示す大当たり移動時間テーブル１２５が格納されている。
尚、表示制御基板６６のＲＯＭ６６２には、「左側図柄の移動時間」が「表示領域内へ６秒」（表示領域内の最終表示位置までの移動時間が約６秒である軌道データを表す。）に対して５種類の軌道データが予め登録されている。また、「左側図柄の移動時間」が「表示領域内へ７秒」（表示領域内の最終表示位置までの移動時間が約７秒である軌道データを表す。）に対して６種類の軌道データが予め登録されている。更に、「左側図柄の移動時間」が「表示領域内へ８秒」（表示領域内の最終表示位置までの移動時間が約８秒である軌道データを表す。）に対して６種類の軌道データが予め登録されている。
また、表示制御基板６６のＲＯＭ６６２には、「右側図柄の移動時間」が「表示領域内へ６秒」（表示領域内の最終表示位置までの移動時間が約６秒である軌道データを表す。）に対して５種類の軌道データが予め登録されている。また、「右側図柄の移動時間」が「表示領域内へ７秒」（表示領域内の最終表示位置までの移動時間が約７秒である軌道データを表す。）に対して６種類の軌道データが予め登録されている。更に、「右側図柄の移動時間」が「表示領域内へ８秒」（表示領域内の最終表示位置までの移動時間が約８秒である軌道データを表す。）に対して６種類の軌道データが予め登録されている。
【０１０２】
また、表示制御基板６６のＲＯＭ６６２には、「左側図柄の移動時間」が「表示領域外へ４秒」（表示領域外の最終表示位置までの移動時間が約４秒である軌道データを表す。）に対して５種類の軌道データが予め登録されている。また、「左側図柄の移動時間」が「表示領域外へ５秒」（表示領域外の最終表示位置までの移動時間が約５秒である軌道データを表す。）に対して６種類の軌道データが予め登録されている。
更に、表示制御基板６６のＲＯＭ６６２には、「右側図柄の移動時間」が「表示領域外へ４秒」（表示領域外の最終表示位置までの移動時間が約４秒である軌道データを表す。）に対して５種類の軌道データが予め登録されている。また、「右側図柄の移動時間」が「表示領域外へ５秒」（表示領域外の最終表示位置までの移動時間が約５秒である軌道データを表す。）に対して６種類の軌道データが予め登録されている。
【０１０３】
そして、上記Ｓ３の処理において、ＣＰＵ４６１は、パラメータ記憶エリア４６３Ｋに記憶されるリーチカウント値としての代数Ｎを読み出し、この代数Ｎを大当たりリーチパターンテーブル記憶エリア４６２Ｂに記憶される大当たりリーチパターンテーブル７２の「リーチカウント値」として、対応する「大当り時リーチ表示パターン」を読み出し（第１確率）、この「大当り時リーチ表示パターン」を「変動パターン」として表示制御基板６６のＣＰＵ６６１に指示する。また、ＣＰＵ４６１は、パラメータ記憶エリア４６３Ｋに記憶されるリーチカウント値としての代数Ｎを再度、読み出し、この代数Ｎを大当たり移動時間テーブル１２５（図２３参照）の「リーチカウント値」として、対応する「左側図柄の移動時間」と「右側図柄の移動時間」を読み出し、この「左側図柄の移動時間」と「右側図柄の移動時間」とを、「スクランブルリーチＡ」又は「スクランブルリーチＢ」の「変動パターン」と共に表示制御基板６６のＣＰＵ６６１に指示する。従って、「リーチカウント値」が「５〜１０」の場合には、「左側図柄の移動時間」として「表示領域内へ６秒」、「右側図柄の移動時間」として「表示領域外へ５秒」が「スクランブルリーチＡ」と共に、ＣＰＵ６６１に指示される。また、「リーチカウント値」が「１１〜１９」の場合には、「左側図柄の移動時間」として「表示領域外へ５秒」、「右側図柄の移動時間」として「表示領域内へ６秒」が「スクランブルリーチＢ」と共に、ＣＰＵ６６１に指示される。
一方、表示制御基板６６のＣＰＵ６６１は、「スクランブルリーチＡ」又は「スクランブルリーチＢ」の「変動パターン」の場合には、同時に指示された「左側図柄の移動時間」と「右側図柄の移動時間」とのそれぞれに対応する複数の軌道データ（ＲＯＭ６６２に予め格納されている上記軌道データ。）の中からランダムに一の軌道データを選択し、該各軌道データに従って上記のように２個のコーヒーカップを液晶表示器１９に移動表示する（図１８（Ｇ）、（Ｈ）参照）。
【０１０４】
また、ＣＰＵ４６１は、上記Ｓ６の処理において、「変動パターン」として「スクランブルリーチＡ」を選択した場合には、パラメータ記憶エリア４６３Ｋに記憶される大当たりカウント値としての代数Ｖを読み出し、この代数Ｖを各外れ移動時間テーブル１２１、１２２（図２１参照）の「大当たりカウント値」として、対応する「左側図柄の移動時間」（第２確率で選択される）と「右側図柄の移動時間」（第３確率で選択される）を読み出し、この「左側図柄の移動時間」と「右側図柄の移動時間」とを、ハズレリーチの「スクランブルリーチＡ」の「変動パターン」と共に表示制御基板６６のＣＰＵ６６１に指示する。従って、ＣＰＵ４６１は、代数Ｖが「０〜１７９（７を除く）」の場合には、「左側図柄の移動時間」として「表示領域外へ４秒」を選択し、また、代数Ｖが「１８０〜３５９」の場合には、「左側図柄の移動時間」として「表示領域外へ５秒」を選択して、表示制御基板６６のＣＰＵ６６１に該「左側図柄の移動時間」を指示する。また、ＣＰＵ４６１は、代数Ｖが「０〜９９（７を除く）」の場合には、「右側図柄の移動時間」として「表示領域内へ６秒」を選択し、また、代数Ｖが「１００〜２４９」の場合には、「右側図柄の移動時間」として「表示領域内へ７秒」を選択し、更に、代数Ｖが「２５０〜３５９」の場合には、「右側図柄の移動時間」として「表示領域内へ８秒」を選択して、表示制御基板６６のＣＰＵ６６１に該「右側図柄の移動時間」を指示する。
【０１０５】
一方、上記Ｓ９の処理において、表示制御基板６６のＣＰＵ６６１は、入力されたハズレリーチの「スクランブルリーチＡ」に対応する変動図柄をスクランブル図柄データ記憶エリア６６２Ａから読み出し、ＲＡＭ６６３に記憶する。また、ＣＰＵ６６１は、「左側図柄の移動時間」と「右側図柄の移動時間」とのそれぞれに対応する複数の軌道データ（ＲＯＭ６６２に予め格納されている上記軌道データ。）の中からランダムに一の軌道データを選択し、ＲＡＭ６６３に記憶する。そして、ＣＰＵ６６１は、ハズレリーチの「スクランブルリーチＡ」に対応する各変動図柄をそれぞれＲＡＭ６６３に記憶する各軌道データに基づいて移動表示後（図１８（Ｇ）、（Ｈ）参照）、ハズレリーチの表示を行った後、当該処理を終了する。
【０１０６】
また、ＣＰＵ４６１は、上記Ｓ６の処理において、「変動パターン」として「スクランブルリーチＢ」を選択した場合には、パラメータ記憶エリア４６３Ｋに記憶される大当たりカウント値としての代数Ｖを読み出し、この代数Ｖを各外れ移動時間テーブル１２３、１２４（図２２参照）の「大当たりカウント値」として、対応する「右側図柄の移動時間」（第２確率で選択される）と「左側図柄の移動時間」（第３確率で選択される）を読み出し、この「右側図柄の移動時間」と「左側図柄の移動時間」とを、ハズレリーチの「スクランブルリーチＢ」の「変動パターン」と共に表示制御基板６６のＣＰＵ６６１に指示する。従って、ＣＰＵ４６１は、代数Ｖが「０〜１７９（７を除く）」の場合には、「右側図柄の移動時間」として「表示領域外へ４秒」を選択し、また、代数Ｖが「１８０〜３５９」の場合には、「右側図柄の移動時間」として「表示領域外へ５秒」を選択して、表示制御基板６６のＣＰＵ６６１に該「左側図柄の移動時間」を指示する。また、ＣＰＵ４６１は、代数Ｖが「０〜９９（７を除く）」の場合には、「左側図柄の移動時間」として「表示領域内へ６秒」を選択し、また、代数Ｖが「１００〜２４９」の場合には、「左側図柄の移動時間」として「表示領域内へ７秒」を選択し、更に、代数Ｖが「２５０〜３５９」の場合には、「左側図柄の移動時間」として「表示領域内へ８秒」を選択して、表示制御基板６６のＣＰＵ６６１に該「右側図柄の移動時間」を指示する。
【０１０７】
一方、上記Ｓ１０の処理において、表示制御基板６６のＣＰＵ６６１は、入力されたハズレリーチの「スクランブルリーチＢ」に対応する変動図柄をスクランブル図柄データ記憶エリア６６２Ａから読み出し、ＲＡＭ６６３に記憶する。また、ＣＰＵ６６１は、「左側図柄の移動時間」と「右側図柄の移動時間」とのそれぞれに対応する複数の軌道データ（ＲＯＭ６６２に予め格納されている上記軌道データ。）の中からランダムに一の軌道データを選択し、ＲＡＭ６６３に記憶する。そして、ＣＰＵ６６１は、ハズレリーチの「スクランブルリーチＢ」に対応する各変動図柄をそれぞれＲＡＭ６６３に記憶する各軌道データに基づいて移動表示後（図１８（Ｇ）、（Ｈ）参照）、ハズレリーチの表示を行った後、当該処理を終了する。
【０１０８】
従って、主基板４６のＣＰＵ４６１は、一のスクランブルリーチ表示パターンがリーチ表示パターンとして選択された場合には、該スクランブルリーチ表示パターンに対する一の左側図柄の移動時間を所定の確率で選択し、該スクランブルリーチ表示パターンに対する一の右側図柄の移動時間を所定の確率で選択して表示制御基板６６のＣＰＵ６６１に出力するため、複数種類のスクランブルリーチ表示パターンのそれぞれに対する複数の左側図柄の移動時間と複数の右側図柄の移動時間との全ての組合せを予め各ＲＯＭ４６２に記憶しておく必要が無く（例えば、スクランブルリーチＡに対応する左側図柄の移動時間を１０種類、右側図柄の移動時間を３０種類の合計４０個の移動時間を予めＲＯＭ４６２に記憶すればよく、全ての組み合わせとしての３００個の移動時間を予めＲＯＭ４６２に記憶する必要がない。）、主基板４６のＲＯＭ４６２のメモリ容量の削減化及び製造コストの削減化を図ることができる。
【０１０９】
また、表示制御基板６６のＣＰＵ６６１は、各スクランブルリーチ表示パターンの各左側図柄の移動時間及び各右側図柄の移動時間のそれぞれに対応する軌道データを個別に記憶しておき、主基板４６のＣＰＵ４６１から左側図柄の移動時間と右側図柄の移動時間とが入力された場合には、入力された左側図柄の移動時間に対応する複数の軌道データからランダムに選択した一の軌道データを各左側のコーヒーカップ８１、９５の軌道データとして移動表示し、入力された右側図柄の移動時間に対応する複数の軌道データからランダムに選択した一の軌道データを各右側のコーヒーカップ８２、９６の軌道データとして移動表示するため、複数種類のスクランブルリーチ表示パターンのそれぞれに対する左側図柄の移動時間に対応する各複数の軌道データと右側図柄の移動時間に対応する各複数の軌道データとの全ての組合せを予めＲＯＭ６６２に記憶しておく必要が無く、表示制御基板６６のＲＯＭ６６２のメモリ容量の大幅な削減化及び製造コストの削減化を図ることができる。例えば、スクランブルリーチＡに対応する左側図柄の移動時間を１０種類、右側図柄の移動時間を３０種類とし、各移動時間に対応して５種類の軌道データを設定した場合には、合計４０個の移動時間の各々に対応して５種類、即ち２００個の軌道データをスクランブルリーチＡに対応する軌道データとして予めＲＯＭ６６２に記憶すればよく、全ての組み合わせとしての１５００個の軌道データを予めＲＯＭ６６２に記憶する必要がない。
【０１１０】
また、各スクランブルリーチ表示パターンにおいて表示される各コーヒーカップ８１、８２、９５、９６を、遊技者の予測できないランダムに選択される所定の軌動に沿って移動表示でき、特別図柄表示装置１８の演出表示効果を高めることができ、遊技者の興趣を増大させることができる。
【図面の簡単な説明】
【０１１１】
【図１】本実施形態に係るパチンコ機全体を示した正面図である。
【図２】本実施形態に係るパチンコ機の遊技盤の遊技領域を示した正面図である。
【図３】本実施形態に係るパチンコ機の全体を示した背面図である。
【図４】本実施形態に係るパチンコ機の駆動制御に係る制御システムの構成を示すブロック図である。
【図５】本実施形態に係るパチンコ機の主基板のＲＡＭの構成を示すブロック図である。
【図６】本実施形態に係るパチンコ機の主基板のＲＯＭの構成を示すブロック図である。
【図７】本実施形態に係るパチンコ機の表示制御基板のＲＯＭの構成を示すブロック図である。
【図８】本実施形態に係るパチンコ機の主基板のＲＯＭの外れリーチパターンテーブル記憶エリアに格納される外れリーチパターンテーブルの一例を示す図である。
【図９】本実施形態に係るパチンコ機の主基板のＲＯＭの大当たりリーチパターンテーブル記憶エリアに格納される大当たりリーチパターンテーブルの一例を示す図である。
【図１０】本実施形態に係るパチンコ機の主基板のＲＯＭの外れ軌道標識テーブル記憶エリアに格納される各外れ軌道標識テーブルの一例を示す図で、（Ａ）はスクランブルリーチＡの場合に、左側図柄の軌道標識を決定する際に選択される外れ軌道標識テーブルを示す図で、（Ｂ）はスクランブルリーチＡの場合に、右側図柄の軌道標識を決定する際に選択される外れ軌道標識テーブルを示す図である。
【図１１】本実施形態に係るパチンコ機の主基板のＲＯＭの外れ軌道標識テーブル記憶エリアに格納される各外れ軌道標識テーブルの一例を示す図で、（Ａ）はスクランブルリーチＢの場合に、右側図柄の軌道標識を決定する際に選択される外れ軌道標識テーブルを示す図で、（Ｂ）はスクランブルリーチＢの場合に、左側図柄の軌道標識を決定する際に選択される外れ軌道標識テーブルを示す図である。
【図１２】本実施形態に係るパチンコ機の主基板のＲＯＭの大当たり軌道標識テーブル記憶エリアに格納される大当たり軌道標識テーブルの一例を示す図である。
【図１３】本実施形態に係るパチンコ機の表示制御基板のＲＯＭのスクランブル軌道データ記憶エリアに格納される各軌道標識に対応する各軌道データの一例を説明する図で、（Ａ）は各軌道標識「ＡＡ−０」、「ＡＡ−１」、「ＡＡ−２」に対応する各軌道データの原点位置を説明する図で、（Ｂ）は軌道標識が「ＡＡ−０」に対応する軌道データ、（Ｃ）は軌道標識が「ＡＡ−１」に対応する軌道データ、（Ｄ）は軌道標識が「ＡＡ−２」に対応する軌道データを説明する図である。
【図１４】本実施形態に係るパチンコ機の表示制御基板のＲＯＭのスクランブル軌道データ記憶エリアに格納される各軌道標識に対応する各軌道データの一例を説明する図で、（Ａ）は各軌道標識「ＡＢ−０」、「ＡＢ−１」、「ＡＢ−２」、「ＡＢ−３」に対応する各軌道データの原点位置を説明する図で、（Ｂ）は軌道標識が「ＡＢ−０」に対応する軌道データ、（Ｃ）は軌道標識が「ＡＢ−１」に対応する軌道データ、（Ｄ）は軌道標識が「ＡＢ−２」に対応する軌道データ、（Ｅ）は軌道標識が「ＡＢ−３」に対応する軌道データを説明する図である。
【図１５】本実施形態に係るパチンコ機の表示制御基板のＲＯＭのスクランブル軌道データ記憶エリアに格納される各軌道標識に対応する各軌道データの一例を説明する図で、（Ａ）は各軌道標識「ＢＡ−０」、「ＢＡ−１」、「ＢＡ−２」に対応する各軌道データの原点位置を説明する図で、（Ｂ）は軌道標識が「ＢＡ−０」に対応する軌道データ、（Ｃ）は軌道標識が「ＢＡ−１」に対応する軌道データ、（Ｄ）は軌道標識が「ＢＡ−２」に対応する軌道データを説明する図である。
【図１６】本実施形態に係るパチンコ機の表示制御基板のＲＯＭのスクランブル軌道データ記憶エリアに格納される各軌道標識に対応する各軌道データの一例を説明する図で、（Ａ）は各軌道標識「ＢＢ−０」、「ＢＢ−１」、「ＢＢ−２」、「ＢＢ−３」に対応する各軌道データの原点位置を説明する図で、（Ｂ）は軌道標識が「ＢＢ−０」に対応する軌道データ、（Ｃ）は軌道標識が「ＢＢ−１」に対応する軌道データ、（Ｄ）は軌道標識が「ＢＢ−２」に対応する軌道データ、（Ｅ）は軌道標識が「ＢＢ−３」に対応する軌道データを説明する図である。
【図１７】本実施形態に係るパチンコ機のリーチハズレ等の表示制御処理を示すフローチャートである。
【図１８】本実施形態に係るパチンコ機のスクランブルリーチＡの大当り発生時の表示例を示す図である。
【図１９】本実施形態に係るパチンコ機の「大当たり遊技処理」のサブ処理を示すサブフローチャートである。
【図２０】他の実施形態に係るパチンコ機のスクランブルリーチＡのリーチハズレ発生時の表示例を示す図である。
【図２１】他の実施形態に係るパチンコ機の主基板のＲＯＭに格納される各外れ移動時間テーブルの一例を示す図で、（Ａ）はスクランブルリーチＡの場合に、左側図柄の移動時間を決定する際に選択される外れ移動時間テーブルを示す図で、（Ｂ）はスクランブルリーチＡの場合に、右側図柄の移動時間を決定する際に選択される外れ移動時間テーブルを示す図である。
【図２２】他の実施形態に係るパチンコ機の主基板のＲＯＭに格納される各外れ移動時間テーブルの一例を示す図で、（Ａ）はスクランブルリーチＢの場合に、右側図柄の移動時間を決定する際に選択される外れ移動時間テーブルを示す図で、（Ｂ）はスクランブルリーチＢの場合に、左側図柄の移動時間を決定する際に選択される外れ移動時間テーブルを示す図である。
【図２３】他の実施形態に係るパチンコ機の主基板のＲＯＭに格納される大当たり移動時間テーブルの一例を示す図である。
【符号の説明】
【０１１２】
１                        パチンコ機
１８                      特別図柄表示装置
１９                      液晶表示器
４６                      主基板
６６                      表示制御基板
４６１、６６１            ＣＰＵ
４６２、６６２            ＲＯＭ
４６３、６６３            ＲＡＭ
４６２Ａ                  外れリーチパターンテーブル記憶エリア
４６２Ｂ                  大当たりリーチパターンテーブル記憶エリア
４６２Ｃ                  外れ軌道標識テーブル記憶エリア
４６２Ｄ                  大当たり軌道標識テーブル記憶エリア
６６２Ａ                  スクランブル図柄データ記憶エリア
６６２Ｂ                  スクランブル軌道データ記憶エリア
８１、８２、９５、９６    コーヒーカップ
【図１】
2005152324.tif 000003
【図２】
2005152324.tif 000004
【図３】
2005152324.tif 000005
【図４】
2005152324.tif 000006
【図５】
2005152324.tif 000007
【図６】
2005152324.tif 000008
【図７】
2005152324.tif 000009
【図８】
2005152324.tif 000010
【図９】
2005152324.tif 000011
【図１０】
2005152324.tif 000012
【図１１】
2005152324.tif 000013
【図１２】
2005152324.tif 000014
【図１３】
2005152324.tif 000015
【図１４】
2005152324.tif 000016
【図１５】
2005152324.tif 000017
【図１６】
2005152324.tif 000018
【図１７】
2005152324.tif 000019
【図１８】
2005152324.tif 000020
【図１９】
2005152324.tif 000021
【図２０】
2005152324.tif 000022
【図２１】
2005152324.tif 000023
【図２２】
2005152324.tif 000024
【図２３】
2005152324.tif 000025